(57)【要約】  電力ルーティングラックは、データセンタの１つまたは複数のコンピューティングラックに多様な電力サポート冗長性を提供するために使用できる。電力フィードは、ラックを通して伸長する電力バスバーアレイのバスバーに供給され、ラック内に位置決めされた電力ルーティングアセンブリはバスバーの１つからコンピューティングラックに電力を送る。各アセンブリは別個のバスバーに結合する回路遮断器、及び回路遮断器の１つまたは複数から１つまたは複数のコンピューティングラックに電力を送るルーティングモジュールを含む。ルーティングモジュールは、選択的に電力を送る切替えスイッチを含むことがある。ルーティングモジュールは電力を同時に送る電気ブリッジを含むことがある。各アセンブリは、多様な電力バスバーに回路遮断器を結合して１つまたは複数のコンピューティングラックに提供される電力サポート冗長性を調整するためにラックの中で位置決めできる。【選択図】図５Ａ
2017508212.tif 000002
【特許請求の範囲】
【請求項１】
電力ルーティングラックの一部分に取り付けられるように構成された電力ルーティングアセンブリであって、
少なくとも２つの回路遮断器モジュールであって、前記回路遮断器モジュールのそれぞれが別個の電力バスバーを介して別個の電力系統と可逆的に結合し、前記結合された電力バスバーを介して前記別個の電力系統から前記それぞれの回路遮断器モジュールの出力コネクタに供給された電力フィードを選択的に送るように構成される、少なくとも２つの回路遮断器モジュールと、
それぞれの電力入力コネクタを介して前記回路遮断器モジュールの前記出力コネクタのそれぞれに結合され、電力出力コネクタを介して下流の電気的負荷にさらに結合された電力ルーティングモジュールと、
を備える前記電力ルーティングアセンブリと
を備え、
前記電力ルーティングモジュールが前記それぞれの電力入力コネクタを介して前記回路遮断器モジュールの少なくとも１つから前記下流の電気的負荷に少なくとも１つの電力フィードを送るように構成される
装置。
【請求項２】
前記電力ルーティングモジュールが、前記それぞれの電力入力コネクタの少なくとも２つを介して前記少なくとも２つの別々の電力フィードから前記下流の電気的負荷に同時に電力を供給するように構成された電気ブリッジを備える、請求項１に記載の装置。
【請求項３】
前記電力ルーティングモジュールは、前記それぞれの電力入力コネクタの１つを介して前記下流の電気的負荷に少なくとも２つの電力フィードの１つを選択的に送るように構成された自動切替えスイッチを備える、請求項１または２に記載の装置。
【請求項４】
前記電力ルーティングアセンブリが、電力バスアレイの複数の電力バスバーの１つに前記回路遮断器モジュールの少なくとも１つを選択的に結合して、前記少なくとも１つの回路遮断器モジュールを通して前記複数の電力バスバーの１つから電力フィードを選択的に送るために、前記電力ルーティングラックの前記部分の中で調整可能に位置決め可能である、請求項１〜３に記載の装置。
【請求項５】
前記複数の電力バスバーのそれぞれが別個の電力系統によって供給される電力フィードを運び、
前記電力バスアレイの複数の電力バスバーの１つに前記回路遮断器モジュールの少なくとも１つを選択的に結合することが、
１つの電力系統から電力を供給する前記複数の電力バスバーの１つから前記少なくとも１つの回路遮断器モジュールを切り離すことと、
別の電力系統から電力を供給する前記複数の電力バスバーの別の１つに前記少なくとも１つの回路遮断器モジュールを結合して、これにより前記電力ルーティングアセンブリが一方の電力系統から電力フィードを送ることから、前記他方の電力系統から別の電力フィードを送ることに切り替わることと、
を含む、
請求項４に記載の装置。
【請求項６】
前記別々の電力入力コネクタの少なくとも１つが、回路遮断器モジュールを位置合わせしてバスバーアレイの複数の電力バスバーの１つと結合するために前記電力ルーティングモジュールに対して１つまたは複数の位置で前記回路遮断器モジュールを調整可能に結合するように構成される、請求項４に記載の装置。
【請求項７】
前記少なくとも２つの回路遮断器モジュールのそれぞれが前記電力ルーティングモジュールに対して固定位置で結合され、これにより前記回路遮断器モジュールが前記電力バスアレイの少なくとも２セットの電力バスバーの少なくとも２つの電力バスバーの間の特定の距離に相当する特定の距離をあけて置かれ、
前記電力ルーティングアセンブリが前記電力ルーティングラックの前記一部分の中の複数の位置の１つに調整可能に位置決めされるように構成され、前記複数の位置のそれぞれが電力バスバーの前記セットの１つに相当し、これにより前記電力ルーティングアセンブリの前記少なくとも２つの回路遮断器モジュールが、前記電力ルーティングアセンブリが位置決めされる前記位置に少なくとも部分的に基づいて電力バスバーの特定のセットの少なくとも２つの電力バスバーと結合するために位置合わせされる、
請求項４に記載の装置。
【請求項８】
電力バスバーの所与のセットの前記電力バスバーのそれぞれが、前記それぞれの電力バスバーから、電力バスバーの前記所与のセットに平行して伸長する共通軸上の位置に伸長するタングコネクタを備え、
前記電力ルーティングアセンブリが、前記回路遮断器モジュールの少なくとも１つを位置合わせして、特定のタングコネクタと結合するために前記電力ルーティングラックの前記部分の中で垂直に調整されるように構成され、これにより前記少なくとも１つの回路遮断器モジュールが、前記回路遮断器モジュールが結合するために位置合わせされる前記特定のタングコネクタに少なくとも部分的に基づいて電力バスバーの所与のセットの特定の電力バスバーと結合するように位置合わせされる、
請求項７に記載の装置。
【請求項９】
前記電力ルーティングアセンブリが、前記電力ルーティングアセンブリが位置決めされる前記位置に少なくとも部分的に基づいて前記下流の電気的負荷に複数の電力サポート冗長性の１つを提供するように構成可能である、請求項７に記載の装置。
【請求項１０】
電力ルーティングアセンブリをアセンブルすることであって、前記電力ルーティングアセンブリをアセンブルすることが電力ルーティングモジュールの別々の電源コネクタに少なくとも２つの回路遮断器モジュールを結合することを含む、電力ルーティングアセンブリをアセンブルすることと、
下流の電気的負荷に特定の電力サポート冗長性を提供するように前記電力ルーティングアセンブリを構成することであって、
別々の電源コネクタを介して電力バスアレイから前記ルーティングモジュールに別々の電力フィードを送るように前記回路遮断器モジュールのそれぞれを構成することであって、前記電力バスアレイの別々の電力バスバーに前記回路遮断器モジュールのそれぞれを結合することを含む、前記電力バスアレイから別々の電力フィードを送るように前記回路遮断器モジュールのそれぞれを構成することと、
前記回路遮断器モジュールから前記下流の電気的負荷に受け取られた前記別々の電力フィードの少なくとも１つを送るように前記電力ルーティングモジュールを構成することであって、電力出力接続を介して前記電気的負荷に前記電力ルーティングモジュールを結合することを含む、前記別々の電力フィードの少なくとも１つを送るように前記電力ルーティングモジュールを構成することと、
を含む、前記下流の電気的負荷に前記特定の電力サポート冗長性を提供するように前記電力ルーティングアセンブリを構成することと、
を含む方法。
【請求項１１】
前記別々の電源コネクタに前記少なくとも２つの回路遮断器モジュールを結合することが、前記所与の回路遮断器モジュールを位置合わせして前記電力バスアレイの特定の電力バスバーと結合するために前記電源コネクタの複数の位置の１つにある所与の電源コネクタに前記回路遮断器モジュールの１つを調整可能に結合することを含む、請求項１０に記載の方法。
【請求項１２】
前記電力ルーティングモジュールが前記それぞれの電力入力コネクタの１つを介して前記下流の電気的負荷に少なくとも２つの電力フィードの１つを選択的に送るように構成された自動切替えスイッチを備え、
前記別々の電力フィードの少なくとも１つを送るように前記電力ルーティングモジュールを構成することが、前記電力出力接続を介して前記下流の電気的負荷に前記別々の電力フィードの１つを選択的に送るように前記電力ルーティングモジュールを構成することを含む、
請求項１０に記載の方法。
【請求項１３】
下流の電気的負荷に特定の電力サポート冗長性を提供するように前記電力ルーティングアセンブリを構成することが、前記下流の電気的負荷に複数の電力サポート冗長性の特定の１つを提供するように前記電力ルーティングアセンブリを構成することを含み、
前記下流の電気的負荷に複数の電力サポート冗長性の特定の１つを提供するように前記電力ルーティングアセンブリを構成することが、前記ラックの中の複数の位置の特定の対応する位置で前記電力ルーティングアセンブリを選択的に位置決めすることを含み、前記複数の位置のそれぞれが別個の電力サポート冗長性と対応する、
請求項１０に記載の方法。
【請求項１４】
前記電力バスアレイが特定の距離をあけて置かれた少なくとも２つの電力バスバーの少なくとも１つのセットを備え、所与のセットのそれぞれの別個の電力バスバーが別個の電力フィードを運ぶように構成され、
前記別個の電源コネクタに前記少なくとも２つの回路遮断器モジュールを結合することが、前記電力ルーティングモジュールに対して固定位置で前記回路遮断器のそれぞれを結合することを含み、これにより前記少なくとも２つの回路遮断器モジュールが前記少なくとも２つの電力バスバー間の前記特定の距離に相当する特定の距離をあけて置かれ、
前記電力バスアレイの別々の電力バスバーに前記回路遮断器モジュールのそれぞれを結合することが、前記回路遮断器モジュールのそれぞれを位置合わせして前記少なくとも２つの電力バスバーの別個のバスバーと結合するために前記電力ルーティングアセンブリを位置決めすることを含む、
請求項１０のいずれかに記載の方法。
【請求項１５】
前記電力バスアレイが電力バスバーの少なくとも２つの別々の組を備え、所与の組の各電力バスバーが別個の電力フィードを運び、電力バスバーの各組が電力フィードの別個のセットを集合的に運び、
前記電力バスアレイの別々の電力バスバーに前記回路遮断器モジュールのそれぞれを結合することが、前記回路遮断器モジュールのそれぞれを位置合わせして電力バスバーの特定の組の少なくとも２つの電力バスバーと結合するために特定の位置に前記電力ルーティングアセンブリを位置決めすることを含み、これにより前記電力ルーティングアセンブリが電力フィードの特定のセットの少なくとも１つを送るように構成され、
前記方法が、前記下流の電気的負荷に別の電力サポート冗長性を提供するように前記電力ルーティングアセンブリを再構成することをさらに含み、別の電力サポート冗長性を提供するように前記電力ルーティングアセンブリを再構成することが、電力バスバーの前記他の組の少なくとも２つの電力バスバーと前記回路遮断器モジュールのそれぞれを位置合わせするために電力バスバーの別の組に相当する別の位置に前記特定の位置から前記電力ルーティングアセンブリの少なくとも一部分を再位置決めすることを含み、電力バスバーの前記他の組が電力フィードの別のセットを運ぶように構成される、
請求項１４に記載の方法。
【発明の詳細な説明】
【技術分野】
【０００１】
オンライン小売業者、インターネットサービスプロバイダ、検索プロバイダ、金融機関、大学、及び他のコンピュータ集約型組織等の組織は、多くの場合、大規模なコンピューティング施設からコンピュータ操作を実施している。係るコンピューティング施設は、組織の活動を実行するために必要に応じてデータを処理、記憶、及び交換するために、大量のサーバ、ネットワーク、及びコンピュータ設備を収容し、大量のサーバ、ネットワーク、及びコンピュータ設備に対応している。通常、コンピューティング施設のコンピュータ室は、サーバラックを含んで良い多くのコンピューティングラックを含む。各コンピューティングラックは同様に、コンピュータ設備等と関連付けられた多くのコンピュータシステム、サーバを含んで良い。
【背景技術】
【０００２】
コンピューティング施設のコンピュータ室は多数のサーバを含むことがあるため、施設を運営するためには大量の電力が必要とされることがある。さらに、電力はコンピュータ室全体に広がる多数の場所に分配される（例えば、互いに離間された多くのラック、及び各ラック内の多くのサーバ）。通常、施設は相対的に高圧で電力フィードを受け取る。この電力フィードは、より低い圧力（例えば、２０８Ｖ）に逓減される。ケーブル布線、バスバー、電源コネクタ、及び配電ユニットのネットワークは、より低い電圧で施設内の多数の特有の構成要素に電力を送達するために使用される。
【０００３】
いくつかのデータセンタはＰＤＵレベルの冗長性を有していない。係るデータセンタは、電力系統でＵＰＳまたはＰＤＵの故障発生時に大きな影響を受けるゾーンを有することがある。さらに、いくつかのデータセンタはフロアへの電力供給を介した「シングルスレッド化した」分散を有し、その場合保守は、構成要素が遮断されているときだけに実行できる。データセンタの一次電源系統の保守及び再構成と関連付けられたダウンタイムは、コンピューティングリソースで多大な損失を生じさせることがある。病院設備及びセキュリティシステム等のいくつかの重大なシステムでは、ダウンタイムは著しい混乱を生じさせ、いくつかのケースでは安全衛生に悪影響を及ぼすことがある。
【０００４】
いくつかのシステムはコンピューティング設備に冗長な電力サポートを提供する二重電源系統を含む。いくつかのシステムでは、自動切替えスイッチ（「ＡＴＳ」）が、一次電力系統から二次（例えば、バックアップ）電力系統への切替えを提供する。典型的なシステムでは、自動切替えスイッチは、一次電源で障害を検出するとコンピューティングラックを二次システムに切り替える。連続運転中のコンピューティング設備を維持するためには、自動切替えスイッチは二次電力系統に迅速に（例えば、約１６ミリ秒以内に）切替えを行う必要がある場合がある。
【０００５】
いくつかのデータセンタは、一次電力系統の構成要素またはシステムの故障時にサーバにバックアップ電力を提供するためにバックアップ構成要素及びシステムを含む。いくつかのデータセンタでは、一次電力系統は、電力系統のすべてのレベルで完全に冗長である専用のバックアップシステムを有して良い。一次の及び完全に冗長なバックアップシステムによってサポートされるシステム及び構成要素のための係るレベルの冗長性は「２Ｎ」冗長性と呼ばれて良い。例えば、複数のサーバ室を有するデータセンタで、１つまたは複数のサーバラックは、一次電力系統及び完全に冗長なバックアップ電力系統から電力サポートを受けて良い。各サーバ室のバックアップシステムは、配電盤、無停電電源装置（ＵＰＳ）、及びそのサーバ室用の一次電力系統の対応する配電盤、無停電電源装置、及びフロア電力配分装置をミラーリングするフロア電力配分装置（ＰＤＵ）を有して良い。ただし、一次電力系統の完全な冗長性を提供することは、資本費用に関して（それが、例えば多数の高価な配電盤、ＵＰＳ、及びＰＤＵを必要とすることがある点で）、並びに運用及び保守の費用に関しての両方で非常に高価となることがある。さらに、一次コンピュータシステムに関して、一次システムからバックアップシステムへ構成要素を切り替えて、サーバのための中断なしの電源を保証するために特別な手順が必要とされ、さらに保守費用を増加することがある。結果として、いくつかのデータセンタは、一次電力系統にとって決して完全に冗長性ではないバックアップシステムを含むことがある。一次の及び完全に冗長なバックアップシステムによってサポートされるシステム及び構成要素のための係る冗長性のレベルは、「Ｎ＋１」冗長性と呼ばれて良い。Ｎ＋１冗長性はコンピューティング設備に完全に冗長な予備電源を提供しないことがあるが、係る冗長性はより低い資本費用及び運転費を含んで良い。
【０００６】
いくつかのシステムは、コンピューティング設備のセットの上流の電力サーバ間の切替えとは関係なく、コンピューティング設備のセットに同時に電力を提供する１つまたは複数の電力系統を含む。係るシステムは、演算器に１Ｎ冗長性、２Ｎ冗長性等を提供して良い。
【０００７】
いくつかのデータセンタでは、コンピューティング設備のいくつかのセットは多様なタイプの冗長性の電力サポートのために構成されて良い。例えば、重大なタスクのために構成されたサーバを有するいくつかのサーバラックは２Ｎ予備電力サポートを受けて良く、いくつかのサーバラックはＮ＋１予備電力サポートを受けて良く、いくつかのサーバラックは、上流の転送スイッチとは関係なく１つまたは複数の別々の電力フィードから電力の同時供給を受けて良い。特定の電力系統からのサポートを有する、特定のタイプの電力冗長性のために各ラックを構成することは、各構成が所与のサーバラックのために所与の電力サポート冗長性を確立するために特有の上流システム及び構成要素の特有の構成を必要とすることがあるので高価で時間を要することがある。
【０００８】
結果として、多様な電源からデータセンタのコンピューティング設備の多様なセットに多様な電力サポート冗長性を提供することは、係る冗長性を提供するために使用されるそれぞれの特定の電力系統からそれぞれの特定の電力サポート冗長性タイプに特有のシステム及び構成要素を提供するために、時間、リソース、及びデータセンタの床面積、壁空間等の過剰な支出を必要とすることがある。さらに、所与の冗長性を提供するために必要とされる特有のシステム及び構成要素、並びにその構成のため、コンピューティング設備の特定のセットのための電力サポート冗長性を変更することは、係る変更は係る冗長性を提供することに特有の多様なシステム及び構成要素の再配置、追加、除去等を必要とすることがあるので、時間を要し、高価となることがある。データセンタ内の多様なシステム及び構成要素の係る再構成は、そうではなければ関係のないシステム及び構成要素を一時的にオフラインにする必要があり、それにより費用を悪化させることがあるので、係る変更は、特有のシステム及び構成要素での変更を実装するために演算器のダウンタイムの延長をさらに必要とすることがある。
【図面の簡単な説明】
【０００９】
【図１】いくつかの実施形態に従って、別々のタイプの電力サポート冗長性を受け取るラックの別々のセットを有するデータセンタの斜視図を示す概略図である。
【図２】いくつかの実施形態に係る共通の電力ルーティングラックの電力ルーティングアセンブリを介して別々のタイプの電力サポート冗長性を受け取るラックの別々のセットを有するデータセンタの斜視図を示す概略図である。
【図３Ａ−３Ｂ】いくつかの実施形態に従って電力バスアレイの多様な電力バスに結合された多様な電力ルーティングアセンブリを介して多様なコンピュータラックに多様な電力サポート冗長性を提供する電力ルーティングアセンブリを含む電力ルーティングラックを示す概略図である。
【図４Ａ−４Ｂ】いくつかの実施形態に係る電力ルーティングアセンブリを示す概略図である。
【図５Ａ】図５Ａは、いくつかの実施形態に従って、電力バスアレイの１つまたは複数の多様なバスバーに結合する、及び１つまたは複数の多様なバスバーから電力を送るように構成された電力ルーティングアセンブリの斜視図を示す概略図である。
【図５Ｂ】図５Ｂは、いくつかの実施形態に従って負荷に電力を供給するように構成された電力ルーティングアセンブリのルーティングモジュールを示す概略図である。
【図５Ｃ】図５Ｃは、いくつかの実施形態に従って電力バスアレイの１つまたは複数の多様なバスバーに結合する、及び１つまたは複数の多様なバスバーから電力を送るように構成された電力ルーティングアセンブリの回路遮断器モジュールを示す概略図である。
【図６Ａ】図６Ａは、いくつかの実施形態に従って多様な電力サポート冗長性を提供するために単相電力バスアレイの多様な電力バスバーに結合された電力ルーティングアセンブリを示す概略図である。
【図６Ｂ】図６Ｂは、いくつかの実施形態に従って多様な電力サポート冗長性を提供するために多相電力バスアレイの多様な電力バスバーに結合された電力ルーティングアセンブリを示す概略図である。
【図７】いくつかの実施形態に従って、電力バスアレイ、及び電力バスアレイの１つまたは複数の多様なバスバーに結合する、及び１つまたは複数の多様なバスバーから電力を送るために調整されるように構成された電力ルーティングアセンブリを含んだ電力ルーティングラックの垂直図を示す概略図である。
【図８】いくつかの実施形態に従って電力バスアレイの１つまたは複数の多様なバスバーに結合する、及び１つまたは複数の多様なバスバーから電力を送るために少なくとも部分的に調整されるように構成された電力ルーティングアセンブリの垂直図を示す概略図である。
【図９】共通軸上の多様な位置で１つまたは複数のシステム及び構成要素を結合するように構成されたタングコネクタを含んだ電力バスバーのセットの斜視図を示す概略図である。
【図１０】いくつかの実施形態に従って多様な電力サポート冗長性を提供するためにタングコネクタを介して１つまたは複数の共通軸上で多相電力バスアレイの多様な電力バスバーに結合された電力ルーティングアセンブリを示す概略図である。
【図１１】いくつかの実施形態に従って下流の電気的負荷に１つまたは複数の電力サポート冗長性を提供するためのシステム及び構成要素の動作を示す流れ図である。
【発明を実施するための形態】
【００１０】
本発明は多様な修正形態及び代替形式の影響を受けやすいが、その特有の実施形態は図面に例として示され、本明細書に詳細に説明される。ただし、それに対する図面及び詳細な説明は開示されている特定の形に本発明を制限することを目的とするのではなく、逆に、意図は添付の特許請求の範囲により定められるように本発明の精神及び範囲に入るすべての修正形態、同等物、及び代替物をカバーすることであることが理解されるべきである。本明細書に使用される見出しは編成のためだけであり、明細書または特許請求の範囲の範囲を制限するために使用されるものではない。本願を通して使用されるように、単語「良い」は、必須の意味（つまり、しなければならないを意味する）よりむしろ、許容の意味（つまり、する潜在性を有することを意味する）で使用される。同様に、単語「含む」、「含んだ」、及び「含む」は含むを意味するが、これに限定されるものではない。
【００１１】
電力ルーティングラックを介してデータセンタ内のコンピュータシステムに構成可能な電力サポート冗長性を提供するための電力ルーティングアセンブリ及び電力バスアレイの多様な実施形態が開示される。一実施形態によると、データセンタは、一次電力フィードを供給する一次電力系統、予備電力フィードを供給する予備電力系統、それぞれがコンピュータシステムのセットを含む複数のコンピューティングラック、及び１つまたは複数の電力ルーティングラックを含む。電力ルーティングラックは電力バスアレイ及び複数の電力ルーティングアセンブリを含む。電力バスアレイは、電力ルーティングラックの共通側に沿って平行して、それぞれ一次電力フィード及び予備電力フィードを運ぶ一次電力バスバー及び予備電力バスバーを含む。各電力ルーティングアセンブリは、電力ルーティングラックの別個の位置に取り付けられ、コンピュータシステムのセットの１つまたは複数に一次電力フィードまたは予備電力フィードの１つまたは複数を送る。各電力ルーティングアセンブリは２つの回路遮断器を含み、２つの回路遮断器は可逆的に別個の電力バスバーと結合し、各回路遮断器モジュールに接続された電力ルーティングモジュールに、それぞれの電力出力接続を介して対応する電力フィードを送り、各回路遮断器モジュールは、送られた電力フィードの１つまたは複数をコンピュータシステムの１つまたは複数のセットに送る。
【００１２】
一実施形態によると、装置は電力ルーティングラックの一部分に取り付けられる電力ルーティングアセンブリを含む。電力ルーティングアセンブリは電力ルーティングモジュール及び２つ以上の回路遮断器モジュールを含む。各回路遮断器モジュールは、別個の電力バスバーを介して別個の電力系統と可逆的に結合し、結合された出力バスバーを介してそれぞれの回路遮断器モジュールの出力コネクタに電力系統から供給される電力フィードを選択的に送る。電力ルーティングモジュールは、それぞれの電力入力コネクタを介して回路遮断器モジュールの出力コネクタのそれぞれに結合され、電力出力コネクタを介して下流の電気的負荷にも結合される。電力ルーティングモジュールは、それぞれの入力コネクタを介して回路遮断器モジュールの少なくとも１つから電気的負荷に少なくとも１つの電力フィードを送る。
【００１３】
一実施形態によると、方法は、電力ルーティングアセンブリをアセンブルすることと、下流の電気的負荷に特定の電力サポート冗長性を提供するように電力ルーティングアセンブリを構成することとを含む。電力ルーティングアセンブリをアセンブルすることは、電力ルーティングモジュールの別々の電源コネクタに回路遮断器モジュールを結合することを含む。電気的負荷に特定の電力サポート冗長性を提供するように電力ルーティングアセンブリを構成することは、別々の電源コネクタを介して電力バスアレイからルーティングモジュールに別々の電力フィードを送るように回路遮断器モジュールのそれぞれを構成することと、回路遮断器モジュールから下流の電気的負荷に受け取られた別々の電力フィードの少なくとも１つを送るように電力ルーティングモジュールを構成することとを含む。別々の電力フィードを送るように各回路遮断器モジュールを構成することは、電力バスアレイの別々の電力バスバーに回路遮断器モジュールのそれぞれを結合することを含む。別々の電力フィードの少なくとも１つを送るように電力ルーティングモジュールを構成することは、電力出力接続を介して電気的負荷に電力ルーティングモジュールを結合することを含む。
【００１４】
本明細書で使用されるように、「コンピュータ室」はラックマウント式サーバ等のコンピュータシステムが操作される建物の部屋を意味する。
【００１５】
本明細書で使用されるように、「データセンタ」は、コンピュータ操作が実行される任意の施設または施設の一部分を含む。データセンタは特有の機能専用の、または複数の機能を提供するサーバを含んで良い。コンピュータ操作の例は、情報の処理、伝達、シミュレーション、及び作業制御を含む。
【００１６】
本明細書で使用されるように、「動作電力」は、１つまたは複数のコンピュータシステム構成要素によって使用できる電力を意味する。動作電力は電力配分装置でまたは電力配分装置から下流の要素で逓減されて良い。例えば、サーバ電源は動作電力電圧を低減し（交流を直流に整流化し）て良い。
【００１７】
本明細書で使用されるように、電力「サポート」を提供することは、１つまたは複数の電気的負荷を含んだ１つまたは複数の下流のシステム及び構成要素が利用できる１つまたは複数の電力フィードを提供することを指す。係る提供された電力フィードは、システム及び構成要素によって受け取られないようにされて良いが、少なくとも部分的にはシステム及び構成要素の上流の１つまたは複数の構成要素の位置決めに基づいて受取りに利用されて良い。例えば、予備電力系統は、予備電力系統の下流且つ電気的負荷の上流である切替えスイッチによって電気的負荷に選択的に送ることができる予備電力フィードを提供することによって電気的負荷に予備電力サポートを提供して良く、切替えスイッチは、一次電力フィードと関連付けられた１つまたは複数の条件に少なくとも部分的に基づいて負荷に予備電力フィードまたは一次電力フィードを選択的に送って良い。
【００１８】
本明細書に使用されるように、本明細書では「ＰＤＵ」とも呼ばれる「電力配分装置」は、電力を配分するために使用できる任意の装置、モジュール、構成要素、またはその組合せを意味する。電力配分装置の要素は、（共通のエンクロージャに収容される変圧器及びラック電力配分装置等の）単一の構成要素またはアセンブリの中で具現化されて良い、または（それぞれ別々のエンクロージャに収容される変圧器及びラック電力配分装置、並びに関連付けられたケーブル等）の２つ以上の構成要素またはアセンブリの中で分散されても良い。
【００１９】
本明細書に使用されるように、「一次電力」は、例えば通常の動作状態の間に電気的負荷に供給できる任意の電力を意味する。一次電力を分配する配電系統（本明細書では「電力系統」とも呼ばれる）は、一次電力系統とも呼ばれて良い。
【００２０】
本明細書に使用されるように、「フロア電力配分装置」はコンピュータ室内の多様な構成要素に電力を分配できる電力配分装置を指す。特定の実施形態では、電力配分装置はｋ定格変圧器を含む。電力配分装置は、キャビネット等のエンクロージャに収容されて良い。
【００２１】
本明細書に使用されるように、「ラック電力配分装置」は、ラック内の多様な構成要素に電力を分配するために使用できる電力配分装置を指す。ラック電力配分は、配線、バスバー、コネクタ、及び回路遮断器を含んだ多様な構成要素及び要素を含んで良い。
【００２２】
本明細書に使用されるように、「予備電力」は、負荷に対する一次電力の故障時に、または負荷に対する一次電力の代わりとして電気的負荷に供給できる電力を意味する。予備電力を分配する配電系統（本明細書では「電力系統」とも呼ばれる）は、予備電力系統と呼ばれて良い。
【００２３】
本明細書に使用されるように、「ソース電力」は、公益企業フィードから受け取られる電力を含むが、これに限定されるものではない任意のソースからの電力を含む。特定の実施形態でハ、「ソース電力」は（本明細書では「中間電力」と呼ばれることもある）別の変圧器の出力から受け取られて良い。
【００２４】
本明細書に使用されるように、「コンピュータシステム」は、多様なコンピュータシステムまたはその構成要素のいずれかを含む。コンピュータシステムの一例はラックマウント式サーバである。本明細書に使用されるように、用語コンピュータはコンピュータと技術で呼ばれるそれらの集積回路だけに限定されるのではなく、広くプロセッサ、サーバ、マイクロコントローラ、マイクロコンピュータ、プログラマブル論理制御装置（ＰＬＣ）、特定用途向け集積回路、及び他のプログラマブル回路を指し、これらの用語は本明細書で交換可能に使用される。多様な実施形態では、メモリはランダムアクセスメモリ（ＲＡＭ）等のコンピュータ可読媒体を含んで良いが、これに限定されるものではない。代わりに、コンパクトディスク‐読出し専用メモリ（ＣＤ−ＲＯＭ）、光磁気ディスク（ＭＯＤ）、及び／またはデジタル多用途ディスク（ＤＶＤ）も使用されて良い。また、追加の入力チャネルは、マウス及びキーボード等のオペレータインタフェースと関連付けられたコンピュータ周辺機器を含んで良い。代わりに、例えばスキャナを含んで良い他のコンピュータ周辺機器も使用されて良い。さらに、いくつかの実施形態では、追加の出力チャネルはオペレータインタフェースモニタ及び／またはプリンタを含んで良い。
【００２５】
図１は、いくつかの実施形態に従って、別々のタイプの電力サポート冗長性を受け取るラックの別々のセットを有するデータセンタの斜視図を示す概略図である。データセンタ１００は、コンピューティング室１１０及び１２０、ラック１１２及び１２２、電力フィード１１８、１１９、１５０、１６０、回路遮断器パネル１１４、１１６、並びに切替えスイッチキャビネット１２４を含む。ラック１１２、１２２内のコンピュータシステムのセットは、データセンタ１００で計算動作を実行して良い。コンピュータシステムは、例えば、データセンタ１００の１つまたは複数のサーバ室１１０、１２０のサーバであって良い。ラック１１２、１２２内のコンピュータシステムはそれぞれ多様な電力フィードの１つから電力を受け取って良い。いくつかの実施形態では、各電力フィードは１つまたは複数の多様な電源から電力を供給する別個の電力系統に対応する。例えば、示されている実施形態では、電力フィード１１８及び１５０のそれぞれは、１つまたは複数の公益企業ソースを含んだ１つまたは複数の多様な電源から電力を供給して良い一次電力系統（「ＰＳ１」）から受け取られる。さらに、電力フィード１１９は、ＰＳ１一次電力系統に電力を供給する電源とは別個であって良い、１つまたは複数の公益企業ソースを含んだ１つまたは複数の多様な電源から電力を供給して良い別の一次電力系統（「ＰＳ２」）から受け取られる。さらに、電力フィード１６０は、１つまたは複数の公益企業ソースを含んだ１つまたは複数の多様な電源から電力を供給して良く、データセンタ１００の１つまたは複数のコンピュータシステムに予備電力サポートを提供して良い予備電力系統（「ＰＳＲ」）から受け取られる。いくつかの実施形態では、１つまたは複数の予備電力系統は、データセンタ１００の動作中つねに電源を入れられている。１つまたは複数の予備電力系統は、１つまたは複数の一次電力系統の１つまたは複数のフィード１１８、１１９、１５０の１つまたは複数の構成要素の故障までパッシブであって良く、該故障時に予備電力系統はアクティブになり、予備電力フィード１６０を通して電力を供給して良い。
【００２６】
いくつかの実施形態では、予備電力系統のいくつかまたはすべては１つまたは複数の電気的負荷に過剰に申し込まれている。本明細書に使用されるように、「過剰に申し込まれる」は、予備電力系統に結合されたシステムの総合電力要件が（例えば、予備ＵＰＳ等のサブシステムの容量を超えることを含む）予備電力を供給するための予備電力系統のいくつかまたはすべての容量を超える状態を指す。例えば、電力フィード１６０を供給する予備電力系統は、４つすべてのラック１２２に電気的に結合される可能性があるが、下流の構成要素を通ってどんなときでもラック１２２の１つにしか予備電力を提供できない可能性がある。いくつかの実施形態では、予備電力系統は激しく過剰に申し込まれて良い（例えば、予備電力系統の容量の数倍で申し込まれて良い）。特定の実施形態では、過剰申し込みは施設全体のレベルで適用される。
【００２７】
いくつかの実施形態では、多様な一次電力系統及び予備電力系統は、ラックに位置するコンピュータシステムを含んだ、データセンタ内の多様な電気的負荷に電力を供給する。多様な電力系統は、多様な電源からソース電力を選択的に送るように構成された開閉装置、無停電電源装置（ＵＰＳ）、１つまたは複数のＵＰＳのバイパスを提供する静止スイッチ、低い方の電圧（例えば、４１５ボルト）までソース電力を逓減する１つまたは複数の変圧器、電力系統から１つまたは複数の電気的負荷に電力を分配する１つまたは複数の電力配分装置等を含んで良い、（図１に図示されていない）多様なシステム及び構成要素を含んで良い。データセンタ１００の多様な電力系統の１つまたは複数から出力された電力は、１つまたは複数の下流システム及び構成要素を通して多様なコンピューティング室の多様なラック内のコンピュータシステムに供給されて良い。
【００２８】
いくつかの実施形態では、多様な電力系統の下流の、及び１つまたは複数の特定のラックの上流の該１つまたは複数のシステム及び構成要素は、１Ｎ冗長性、２Ｎ冗長性、Ｎ＋１冗長性等を含んだ、特定のラック内のコンピュータシステムに提供された１つまたは複数の特定の電力サポート冗長性を提供するように構成される。特有のシステム及び構成要素、並びにその特有の構成は、特定の電力サポート冗長性の１つまたは複数を提供するためにデータセンタで実装されて良い。例えば、示されている実施形態では、データセンタ１００は、それぞれ別々の電力サポート冗長性を有するコンピュータシステムのラック１１２、１２２を含むコンピューティング室１１０及び１２０を含む。部屋１１０、１２０は多様な電力系統から多様な電力フィード１１８、１１９、１５０、１６０を受け取り、データセンタのフリーアクセス床１３０の下のフリーアクセス床プレナム１４０を通して伸長して良い多様な電力線１１７、１２９を介して該電力フィードの１つまたは複数からそれぞれの室内のそれぞれの多様なラック１１２、１２２に電力を供給する。例えば、いくつかのデータセンタ実施形態では、多様なコンピュータ室は、少なくとも部分的に室内のフリーアクセス床の設置を通して形成されたフリーアクセス床プレナムを含んで良い。係るフリーアクセス床プレナムは、少なくとも部分的に、部屋を通る冷却空気を循環し、電力線並びに多様な他のシステム及び構成要素の経路を定めるために使用されて良い。
【００２９】
いくつかの実施形態では、データセンタの多様な部分は、多様な別々の電力サポート冗長性が提供されるコンピュータシステムの多様なラックを含む。係る多様な冗長性は、１つまたは複数の電力系統の下流、及びラックの上流の特有のシステム及び構成要素の特有の構成に少なくとも部分的に基づいて提供されて良い。特定の電力サポート冗長性を提供するように構成される１つまたは複数の特有のシステム及び構成要素は、特定の電力サポート冗長性構成であると呼ばれて良い。例えば、示されている実施形態では、データセンタ１００は、別々の電力冗長性が１つまたは複数の電力サポート冗長性構成の１つまたは複数の特有のシステム及び構成要素を介して提供されるラックを有する２つのコンピューティング室１１０、１２０を含む。部屋１１０は、２つの別々の一次電力系統から電力フィード１１８、１１９を受け取るラック１１２を含む。各一次電力系統は、ラック１１２内の各コンピュータシステムに完全に冗長な電力のソースを提供するように構成されて良い（つまり、２Ｎ冗長性）。いくつかの実施形態では、ただ１つの電源からの電力は１つまたは複数のコンピュータシステムに送られて良い（つまり、１Ｎ冗長性）。示されている実施形態では、回路遮断器１１５は各電力フィードの下流及び各ラック１１２の上流に位置し、各ラックに供給される各電力フィードに遮断器サポートを提供する。遮断器１１５はラック１１２内の１つまたは複数のコンピュータシステムから１つまたは複数の電力系統を隔離するために切り替わることができる。示されている実施形態では、回路遮断器の各パネル１１４、１１６は特定の対応する電力フィード１１８、１１９に遮断器サポートを提供し、各パネルの遮断器はラック１１２の特定のラックに対応するフィードのための遮断器サポートを提供する。電力は、所与の回路遮断器１１５を通って所与のラックに、ケーブルを含んで良い電力線１１７を通って送られて良い。いくつかの実施形態では、１つまたは複数の交換装置（例えば、自動切替え装置つまり「ＡＴＳ」）は所与のラック１１２に位置し、電力フィード１１８、１１９の１つから１つまたは複数のコンピュータシステムへのルーティング電力の間で選択的に切り替わる。いくつかの実施形態では、両方の電力フィードからの電力はラック１１２内の１つまたは複数のコンピュータシステムに同時に送られる。
【００３０】
データセンタ１００のコンピューティング室１２０は、１つの一次電力系統及び１つの予備電力系統からの電力が、１つまたは複数の自動切替えスイッチ（「ＡＴＳ」）を含んで良い１つまたは複数の切替えスイッチ１２５を通して１つまたは複数のラック１２２の１つまたは複数のコンピュータシステムに選択的に送られる、別の電力冗長性構成を示す。自動切替えスイッチ１２５は、一次電力系統からの一次電力フィード１５０と予備電力系統からの予備電力フィード１６０の間で１つまたは複数のラック１２２内のコンピュータシステムへの電力の切替えを制御して良い。いくつかの実施形態では、コンピュータ室内のラックごとに１つの自動切替えスイッチが設けられる。したがって、自動切替えスイッチ１２５は、電力フィード１５０と電力フィード１６０の間で対応するラック１２２への入力電力を切り替えて良い。別の実施形態では、自動切替えスイッチはラックの半分ごとに設けられる。さらに別の実施形態では、自動切替えスイッチはサーバレベルで設けられて良い。
【００３１】
示されるように、電力フィード１５０、１６０は、それぞれ一次電力系統及び予備電力系統から部屋１２０内に電力を供給する。両方の電力フィードとも、フィードが、キャビネット１２４にも位置する回路遮断器パネル１２６の対応する回路遮断器１２７を介してそれぞれ多様な切替えスイッチ１２５に供給される切替えスイッチキャビネット１２４に送られる。示されている実施形態は、１つまたは複数の回路遮断器１２５に垂直に隣接して位置する遮断器パネルを示す。いくつかの実施形態では、回路遮断器１２７は、１つまたは複数の対応する切替えスイッチ１２５に水平に隣接して位置して良い。各回路遮断器１２７から出力される電力は１本または複数のケーブル、コネクタ等１２８を通して対応する切替えスイッチ１２５に供給されて良い。係る構成要素１２８は、例えば、ジャンパ、ケーブル、及び電気コネクタの組合せを含んで良い。キャビネット１２４内の各切替えスイッチ１２５は、それぞれ回路遮断器１２７及びコネクタ１２８の対応するセットを介して切替えスイッチ１２５に送られた電力フィード１５０及び１６０の１つから、１つまたは複数の電気コネクタ、ケーブル、ジャンパ接続等を含んで良い出力電力線１２９を介して１つまたは複数のラック１２２に電力を選択的に送る。切替えスイッチ１２５による１つまたは複数の電力フィードの係る選択的なルーティングは、１つまたは複数の切替えスイッチ１２５がラック１２２内の１つまたは複数のコンピュータシステムにＮ＋１冗長性を提供できるようにして良い。いくつかの実施形態では、電力フィード１６０は、別の一次電力系統（例えば、ＰＳ2）から電力を供給して良く、これにより切替えスイッチ１２５の１つまたは複数はラック１２２内の１つまたは複数のコンピュータシステムに２Ｎ冗長性を提供する。
【００３２】
上述されたデータセンタは、多様な電力系統で、多様な電気的負荷に多様な電力サポート冗長性を提供することが、特有の電力サポート冗長性構成を実装するように構成された特有のシステム及び構成要素を含んで良いことを示す。係る特有のシステム及び構成要素は、資本費用及び運転費、並びにそうではない場合は他のシステム及び構成要素に割り当てることができるだろうデータセンタの中の空間を含んだリソースをとって良い。さらに、示されている実施形態に示されるように、１つまたは複数の電力冗長性構成に「特有」であるいくつかのシステム及び構成要素は、データセンタの異なるタイプの空間をとって良い。例えば、部屋１１０内の回路遮断器パネル１１６、１１６は部屋１１０の壁パネル１１３に取り付けられる。一方、部屋１２０の切替えスイッチキャビネット１２４はフリーアクセス床１３０に設置される。データセンタの壁空間は制限されて良く、多様な品目は、緊急カート、工具保管場所、配電システム及び構成要素、機械プラント等を含んだ、係る限られた空間の使用を求めて争って良い。さらに、示されるように、データセンタの異なる電気的負荷に異なる電力サポート冗長性を提供するために異なる設置面積の別々のシステム及び構成を設置することは、限られたデータセンタリソースの効率的な割当てを妨げることがある。
【００３３】
さらに、データセンタの１つまたは複数のコンピュータシステムのための特定の電力サポート冗長性構成を変更することは、各電力サポート冗長性を提供するために使用されるシステム及び構成要素の特有の構成のため、高価且つ困難となることがある。例えば、２Ｎ電力サポートを受け取るためにラック１２２の１つを変更することは、電力系統ＰＳ2から等、部屋１２０の中に追加の電力フィード（不図示）を通すことを必要とすることがあり、追加の電力フィードから特定のラック１２２等のための切替えスイッチに電力を送るように１つまたは複数の回路遮断器を構成することをさらに必要として良い。係る操作は時間を要することがあり、キャビネット１２４の中に新しい電力フィードケーブルを通すこと及び１つまたは複数の回路遮断器結合を変更することが安全な動作を可能にし、それによって潜在的にすべてのラック１２２をオフラインにするために電力からキャビネット１２４内のいくつかのまたはすべての構成要素を切り離すことを含む等、追加のラックをオフラインにすることを必要として良い。また、係る動作は、キャビネットの多様なケーブル接続を再構成することを含んで良いキャビネット１２４内で多様な接続を変更することを含んでも良く、このことは追加の運転費を課すことがある。さらに、いったん１つまたは複数のラック１２２のための係る交換が完了すると、どのラック１２２が２Ｎ冗長性を受け取っているのか、及びどれがＮ＋１冗長性を受け取っているのかを識別することは困難となり、キャビネット１２４のケーブル、コネクタ等の慎重な検査を伴うことがある。
【００３４】
さらに、部屋１２０に関して示されるように、切替えスイッチを通して電力サポート冗長性を受け取ることと、部屋１１０に関して示されるように、ラックの上流の切替えスイッチとは関係なく電力サポート冗長性を受け取ることとの間で１つまたは複数のラックを切り替えることは、切替えスイッチキャビネット１２４及び回路遮断器パネル１１４、１１６の異なる設置面積に少なくとも部分的に基づいて特に高価且つ困難となることがある。例えば、上流の切替えスイッチとは関係なく２Ｎ冗長性から部屋１１０内のラック１１２の１つを、上流の切替えスイッチでＮ＋１冗長性を受け取ることに変更することは、キャビネット１２４に少なくともなんらかの床面積を割り当てることを含む可能性がある部屋１１０にキャビネット１２４を設置することを含んで良い。結果として、部屋１１０で多様な電力サポート冗長性を提供することは、いくつかのラック１１２をサポートするために回路遮断器１１５のための壁空間１１３を割り当てることと、少なくとも１つのラック１１２をサポートするために少なくとも１つの切替えスイッチ１２５を含んだキャビネット１２４のために床面積１３０を割り当てることを含むだろう。
【００３５】
同様に、部屋１２０のラック１２２の１つを、上流の切替えスイッチ１２５を通してＮ＋１、２Ｎ等の冗長性から、切替えスイッチとは関係なく電力サポート冗長性を受け取ることに変更することは、他の目的で割り当てることができるだろう壁空間を取り除くだろう、部屋１２０に少なくとも１つの回路遮断器パネル１１４を取り付けることを含んで良い。したがって、冗長性に特有のシステム及び構成要素の割当てを、係るシステム及び構成要素の冗長性構成を変更することをサポートするために異なる空間に変更することは、決してデータセンタリソースの最適割当てではないだろう。
【００３６】
図２は、いくつかの実施形態に係る共通の電力ルーティングラックの電力ルーティングアセンブリを介して別々のタイプの電力サポート冗長性を受け取るラックの別々のセットを有するデータセンタの斜視図を示す概略図である。データセンタ２００は、コンピュータ室２０２、ラック２１０、２００、電力フィード２６０、２７０、２８０、フリーアクセス床プレナム２５０、及び電力ルーティングラック２３０を含む。
【００３７】
いくつかの実施形態では、データセンタは多様なコンピュータシステムに多様な電力サポート冗長性を提供する電力ルーティングラックを含む。電力ルーティングラックの多様なシステム及び構成要素は、１つまたは複数の特定のラック及び該特定のラックの中のコンピュータシステムに１つまたは複数の特定の電力サポート冗長性を提供するために構成可能、調整可能等であって良く、係るシステム及び構成要素は係るシステム及び構成要素の冗長性構成を変更するために電力ルーティングラックの中で調整可能であって良く、これによりシステム及び構成要素は異なる電力サポート冗長性を提供する。係るシステム及び構成要素は、電力ルーティングラックの他のシステム及び構成要素によって少なくとも部分的にサポートされているデータセンタ内の他のラックに対する電力サポートに影響を及ぼすことなく、少なくとも部分的に調整されるように構成されて良く、係るシステム及び構成要素の電力サポート冗長性構成は、電力ルーティングラックの少なくとも一部分の観察者にとって即座に確認可能であって良い。
【００３８】
いくつかの実施態様では、電力ルーティングラックは電力バスアレイ及びラックの中に取り付けられた１つまたは複数の電力ルーティングアセンブリを含む。電力バスアレイは、それぞれが１つまたは複数の多様な電力系統を介して１つまたは複数の多様な電源から電力を供給して良い１つまたは複数の電力フィードからの電力を運んで良い。電力バスアレイは、それぞれが１つまたは複数の特定の電力フィードから少なくともいくらかの電力を運ぶように構成される１つまたは複数の電力バスのアレイを含んで良く、バスバーのアレイは電力ルーティングラックの少なくとも一部分で１つまたは複数の特定の側面に沿って平行して伸長して良い。例えば、示されている実施形態では、電力ルーティングラック２３０は、ラック２３０の片側に沿って垂直に伸長する電力バスアレイ２３２を含む。電力バスアレイは、１つまたは複数のアセンブリ２３４を含むことがあるラックの一部分の１つまたは複数の側面に沿って平行して伸長するバスバーのアレイを含んで良い。バスバーは、電力ルーティングアセンブリ２３４が欠けている１つまたは複数の部分を含んだ、ラックの他の１つまたは複数の部分の１つまたは複数の側面に沿って平行以外の方法で伸長して良い。アレイ２３２は３つの特定の電力フィード２６０、２７０、２８０を受け取ることが示され、各フィードは、それぞれ第１の一次電力系統（ＰＳ1）、第２の一次電力系統（ＰＳ2）、及び予備電力系統（ＰＳR）の１つから電力を供給する。以下にさらに説明されるように、アレイ２３２等の電力バスアレイは、それぞれ電力フィードの１つから電力を運ぶ電力バスバーの複数のセットを含んで良く、電力バスバーの所与の１つまたは複数のセットに電気的に結合された１つまたは複数のシステム及び構成要素は対応する電力フィードから電力を受け取って良い。
【００３９】
いくつかの実施形態では、電力ルーティングラックの１つまたは複数の電力ルーティングアセンブリは、サーバラックのサーバを含んで良いコンピューティングラックのコンピュータシステムを含んだ、１つまたは複数の多様な電力フィードから１つまたは複数の下流の電気的負荷に電力を送るように調整可能に構成できる１つまたは複数のシステム及び構成要素を含む。例えば、示されている実施形態では、ラック２３０はそれぞれ電力フィード２６０、２７０、及び２８０の１つまたは複数から電力を送る８つの電力ルーティングアセンブリ２３４を含む。各電力ルーティングアセンブリ２３４は、電力フィード２６０、２７０、２８０の少なくとも１つから電力を受け取るために電力バスアレイ２３２の少なくとも１つの電力バスバーに電気的に結合され、出力ライン２３６を介して対応するコンピューティングラックに電力を送る。示されるように、いくつかの実施形態の電力線はフリーアクセス床２４０の真下のフリーアクセス床プレナム２５０を通して対応するラックに送られる。係るライン２３６はポータル要素２３８を介してプレナム２５０の中に送られて良く、各ラインは別のポータル要素（不図示）を通してプレナム２５０から対応するラックの中に上方に送られて良い。
【００４０】
いくつかの実施形態では、各電力ルーティングアセンブリ２３４は、１つまたは複数の下流のコンピューティングラックに１つまたは複数の多様な電力サポート冗長性を提供するように電力ルーティングアセンブリを調整可能に構成するために、ラック２３０の中で少なくとも部分的に調整されるように構成される。係る調整は、アセンブリ２３４が多様な電力フィードから電力を送るようにアレイ２３２の多様な電力バスバーに電気的に結合するためにアセンブリ２３４自体の少なくとも一部分を調整することを含んで良い。例えば、所与の電力ルーティングアセンブリ２３４は、電力フィード２６０から電力を運ぶ第１の電力バスバーに電気的に結合され、電力フィード２７０から電力を運ぶ別の電力バスバーに電気的に結合されて良く、アセンブリ２３４は、電力フィード２６０、２７０の１つからラック２１０、２２０の１つに電力を選択的に送って良く、このことはそのラックに２Ｎ冗長性を提供することを含んで良い。さらに、該所与の電力ルーティングアセンブリ２３４は、電力フィード２７０から電力を運ぶ電力バスバーに結合することから電力フィード２８０から電力を運ぶさらに別の電力バスバーに切り替わるように少なくとも部分的に調整されて良く、アセンブリは電力フィード２６０、２８０の１つからラック２１０、２００の１つに電力を選択的に送って良く、このことはそのラックにＮ＋１冗長性を提供することを含んで良い。アセンブリに対する係る調整は、該１つまたは複数の構成要素を位置合わせして該１つまたは複数の電力バスバーに結合するために、アレイ２３２の１つまたは複数の電力バスバーに関してアセンブリ２３４の１つまたは複数の構成要素の構成を少なくとも部分的に調整することを含んで良い。係る調整は、アセンブリ２３４の１つまたは複数の構成要素を位置合わせしてアレイ２３２の１つまたは複数の多様な電力バスバーに結合するために、ラック２３０の中の全体的なアセンブリ２３４の位置、取付け等を調整することを、さらにまたは代わりに含んで良い。係る調整はアセンブリを、ラック２３０に関して垂直に、ラックに関して水平に、そのなんらかの組合せ等、調整することを含んで良い。例えば、及びさらに下記に説明されるように、ラック２３０の一部分の中で、アレイ２３２の電力バスバーが平行して垂直に伸長する少なくとも片側に沿って、アセンブリ２３４は、電力バスバーの１つまたは複数のセットと位置合わせすることから、電力バスバーの１つまたは複数の他のセットと位置合わせすることへ、アセンブリ２３４の少なくとも部分を変更するためにラック２３０に関して水平に調整可能であって良く、電力バスバーの各セットは電力フィードの別個の組合せから電力を集合的に運ぶ。したがって、ラック２３０に関してアセンブリ２３４を調整することは、１つまたは複数の電力フィードの別々の組合せから電力を送るようにアセンブリを構成し、それにより多様な下流のコンピューティングラックに別々の電力サポート冗長性を潜在的に提供して良い。さらに、所与のアセンブリ２３４の冗長性構成はラック２３０の中のその位置に少なくとも部分的に基づいて良いため、ラック２３０の多様なアセンブリ２３４は多様な異なるコンピューティングラックに異なる電力サポート冗長性を提供して良い。例えば、示されている実施形態では、ライン２３６を介してコンピューティングラック２１０に結合されたアセンブリ２３４は、それぞれ電力フィード２６０及び２７０から電力を運ぶ電力バスバーに結合されて良く、これによりそれらのアセンブリ２３４はコンピューティングラック２１０のそれぞれに２Ｎ電力サポート冗長性を提供し、一方他のライン２３６を介してコンピューティングラック２２０に結合された他のアセンブリ２３４は、電力フィード２６０及び２８０から電力を運ぶ電力バスバーに結合されて良く、これによりそれらの他のアセンブリはコンピューティングラック２２０のそれぞれにＮ＋１電力サポート冗長性を提供する。
【００４１】
いくつかの実施形態では、１つまたは複数の電力ルーティングアセンブリは１つまたは複数の特定の電力フィードに、下流負荷への遮断器サポートを提供するように構成されたシステム及び構成要素を含む。係る遮断器サポートは、電力ルーティングアセンブリ及び１つまたは複数の下流の電気的負荷から特定の電力フィードを隔離するために切り替わることがある回路遮断器によって少なくとも部分的に提供されて良い。例えば、各アセンブリ２３４は、対応する電力バスバーから、結合モジュールの１つまたは複数から下流コンピューティングラックに電力を送る電力ルーティングモジュールに電力を送るために別々の電力バスバーと電気的に結合する１つまたは複数の結合モジュールを含んで良い。各結合モジュールは、電力バスバーと結合するように回路遮断器コネクタを適応する電力バスバーコネクタに結合されて良い。結合モジュールの１つまたは複数は、１つまたは複数の結合モジュールを通して送られる電力に遮断器サポートを提供する１つまたは複数の回路遮断器を含んで良い。いくつかの実施形態では、１つまたは複数の回路遮断器を含んで良い結合モジュールの１つまたは複数は、１つまたは複数の電力バスバーに直接的に結合するように構成される。電力ルーティングモジュールは、回路遮断器モジュールの１つからコンピューティングラックに電力を選択的に送ることができる、ＡＴＳを含んだ１つまたは複数の交換装置を含んで良い。別の例では、電力ルーティングモジュールは、回路遮断器モジュールの１つから電力を選択的に送るよりもむしろ、両方の回路遮断器モジュールからコンピューティングラックに同時に電力を送る電気ブリッジを含んで良い。結果として、所与の電力ルーティングラック２３０の多様なアセンブリ２３４は、切替えスイッチとは関係なくいくつかのラックに電力を供給するための回路遮断器パネルに壁空間を割り当て、他のラックに選択的に電力を供給するための切替えスイッチキャビネットに床面積を割り当てるよりむしろ、単一のラック２３０で図１の部屋１１０及び１２０に関して上述された多様な電力サポート冗長性の１つを提供できる。
【００４２】
結果として、所与の電力ルーティングラックはデータセンタの多様なコンピューティングラックに多様な電力サポート冗長性を提供して良く、データセンタ空間の単一の割当ては、（例えば、回路遮断器パネルに壁空間を割り当てることなく１つまたは複数の床空間設置面積だけを使用し）多様な冗長性を提供するために使用されて良い。所与の電力ルーティングアセンブリ２３４の調整は、アセンブリ２３４がどの電力バスバーに結合されるのかを変更することによってそのアセンブリ２３４の特定の電力サポート冗長性を変更して良く、係る結合は観察者の目に見えて良く、したがって所与のアセンブリ２３４の冗長性構成を即座に確かめることを可能にする。さらに、切替えスイッチを通して電力サポートを受け取ること、及び切替えスイッチとは関係なく電力サポートを受け取ることからラックを変更することは、切替えスイッチを有する電力ルーティングモジュールを含んだアセンブリから電気ブリッジを有する電力ルーティングモジュールを含んだアセンブリにサポートアセンブリ２３４をスワップすることにより達成されて良い。ラック２３０のアセンブリの係るスワップ機能は、切替えスイッチと関係がない冗長性構成のために使用されて良い回路遮断器パネルに壁空間を割り当てることなく電力サポート冗長性構成のより高速且つより効率的な変更を可能にして良い。
【００４３】
図３Ａ及び図３Ｂは、いくつかの実施形態に従って電力バスアレイの多様な電力バスに結合された多様な電力ルーティングアセンブリを介して多様なコンピュータラックに多様な電力サポート冗長性を提供する電力ルーティングアセンブリを含む電力ルーティングラックを示す概略図である。各図で、データセンタ３００は、１つまたは複数のソース電力から、電力系統の多様な組合せからの電力を使用し、３つのコンピューティングラック３１２、３１４、３１６に多様な電力サポート冗長性を提供する電力ルーティングラック３０４に電力を供給する３つの電力系統３２０Ａ−Ｃを含む。
【００４４】
電力ルーティングラック３０４は、電力バスアレイ３０５及び電力ルーティングアセンブリ３０６Ａ−Ｃを含む。いくつかの実施形態では、電力バスアレイは電力ルーティングラックの少なくとも一部分の１つまたは複数の側面に沿って平行して伸長する電力バスバーの１つまたは複数のセットを含み、ラックの１つまたは複数の側面の一部分は１つまたは複数のアセンブリ３０６Ａ−Ｃを含むことがあり、電力バスバーの１つまたは複数は別個の電源から受け取られた電力を運ぶ。例えば、示されている実施形態では、電力バスアレイ３０５は３つの電力バスバー３０７Ａ−Ｃを含み、各電力バスバーは別個の電力系統に電気的に結合される。電力バスバー３０７Ａは電力系統３０２Ａから受け取られた電力を運び、電力バスバー３０７Ｂは電力系統３０７Ｂから受け取られた電力を運び、電力バスバー３０７Ｃは電力系統３０２Ｃから受け取られた電力を運ぶ。結果として、電力バスバー３０７Ａ−Ｃの多様な電力バスバーと電気的に結合された装置は、係る装置がどの電力バスバー３０７Ａ−Ｃに結合されるのかに少なくとも部分的に基づいて、別個の電力系統３０２Ａ−Ｃの１つまたは複数から電力を受け取って良い。
【００４５】
電力ルーティングアセンブリ３０６Ａ−Ｃは、それぞれ電力バスバー３０７Ａ−Ｃの別個の組合せに結合される。いくつかの実施形態では、１つまたは複数のアセンブリ３０６Ａ−Ｃは電力バスバーの共通の組合せに結合される。各電力ルーティングアセンブリは結合されたバスバーの１つまたは複数から結合された下流のコンピューティングラックに受け取られた電力を送る。いくつかの実施形態では、多様な電力バスバーに多様な電力ルーティングアセンブリを結合することは、多様なアセンブリのそれぞれが、それぞれの所与の電力ルーティングアセンブリがどの電力バスバーに結合されるのかに少なくとも部分的に基づいて多様な下流コンピューティングラックに多様な電力サポート冗長性を提供できるようにする。例えば、図３Ａの示されている実施形態では、電力ルーティングアセンブリは電力バスバー３０７Ａ及び３０７Ｂに結合され、したがってコンピューティングラック３１２に電力系統３０２Ａ及び３０２Ｂの１つまたは複数から電力を送ることができる。同様に、アセンブリ３０６Ｂはバスバー３０７Ａ及び３０７Ｃに結合され、したがって電力系統３０２Ａ及び３０２Ｃの１つまたは複数からコンピューティングラック３１４に電力を送ることができ、バスバー３０７Ｂ及び３０７Ｃに結合されたアセンブリは電力系統３０２Ｂ及び３０２Ｃの１つまたは複数からコンピューティングラック３１６に電力を送ることができる。
【００４６】
両方の電力系統３０２Ａ及び３０２Ｂともそれぞれ１つまたは複数の電気的負荷に完全に冗長な電力サポートを提供するように構成された一次電力系統であるいくつかの実施形態では、電力ルーティングアセンブリ３０６Ａは、図示されるようにコンピューティングラック３１２に２Ｎ冗長性を提供して良い。同様に、電力系統３０２Ｃが１つまたは複数の電気的負荷に少なくとも部分的に冗長な予備電力サポートを提供するように構成された予備電力系統である場合、電力ルーティングアセンブリ３０６Ｂ及び３０６Ｃはそのそれぞれの結合されたコンピューティングラック３１４及び３１６にＮ＋１冗長性を提供して良い。
【００４７】
いくつかの実施形態では、電力ルーティングアセンブリは、アセンブリがコンピューティングラックに送ることができる１つまたは複数の電力フィードに遮断器サポートを提供する。遮断器サポートは、電力ルーティングアセンブリが結合される電力バスバーの１つまたは複数に電気的に結合されて良い１つまたは複数の回路遮断器によって提供されて良く、各回路遮断器は結合されたバスバーから電力ルーティングアセンブリを隔離するために切り替わって良い。示されている実施形態では、各電力ルーティングアセンブリ３０６Ａ−Ｃは、それぞれ電力ルーティングアセンブリの上流側で対応する電力バスバーに結合され、それぞれが上流の結合された電力バスバーで電力フィードのための下流の結合されたコンピューティングラックに遮断器サポートをそれぞれ提供する１つまたは複数の回路遮断器を含むことがある、結合モジュール３０８Ａ−Ｆの２つを含む。例として、結合モジュール３０８Ａは電力バスバー３０７Ａに結合され、電力系統３０２Ａからの電力のためのコンピューティングラック３１２に遮断器サポートを提供する回路遮断器を含む。各回路遮断器は、例えば、結合された電力バスバーから受け取られる電力に関する障害状態の決定に応えて自動的に、例えば回路遮断器モジュールでのアクチュエータレバーの手動操作に基づいて手動で、等動作して良い。いくつかの実施形態では、結合モジュール３０８Ａ−Ｆは電力バスバーに直接的に結合されるように構成された回路遮断器を含む。いくつかの実施形態では、結合モジュールは電力バスバーに回路遮断器コネクタを結合するバスバーコネクタ装置を含む。係るバスバーコネクタ装置は、回路遮断器のコネクタの中に受け入れられ、それにより電力バスバーと結合するように回路遮断器を適応できるバスバー「クリップ」コネクタを含んで良い。
【００４８】
いくつかの実施形態では、電力ルーティングアセンブリは、アセンブリの結合モジュールの１つまたは複数から下流の結合された電気的負荷に受け取られた電力を送る電力ルーティングモジュールを含む。電力ルーティングモジュールは、多様な結合された回路遮断器モジュールから電気的負荷に受け取られた電力を選択的に送るように構成される（例えば、ＡＴＳ等）交換装置を含むことがある。例えば、示されている実施形態では、電力ルーティングアセンブリ３０６Ｂ及び３０６Ｃはそれぞれ、交換装置を含む電力ルーティングモジュール３１０Ａ、３１０Ｂを含み、交換装置３１０Ａは、結合モジュール３０８Ｃ、３０８Ｄの１つから受け取られた電力を選択的に送ることができ、交換装置３１０Ｂは結合モジュール３０８Ｅ、３０８Ｆの１つから受け取られた電力を選択的に送ることができる。係る選択的なルーティングは自動フェイルオーバー機能を含むことがあり、交換装置は、第１の電力フィードに関する決定された障害状態に少なくとも部分的に基づいて、第１の受け取られた電力フィードから第２の受け取られた電力フィードに自動的に切り替わることができる。例えば、電力ルーティングアセンブリ３０６Ｂがコンピューティングラック３１４にＮ＋１冗長性を提供する、示されている実施形態では、交換装置３１０Ａは、バスバー３０７Ｃ及び結合モジュール３０８Ｄを介して電力系統３０２Ｃから受け取られた電力を確保するためにバスバー３０７Ｂ及び回路遮断器モジュール３０８Ｃを介して電力系統３０２Ｂから受け取られた一次電力から自動的にフェイルオーバーできる。
【００４９】
いくつかの実施形態では、電力ルーティングモジュールは、複数の回路遮断器モジュールから下流の結合された電気的負荷に受け取られた電力を同時に送る電気ブリッジを含む。例えば、示されている実施形態では、電力ルーティングアセンブリ３０６Ａは、それぞれの電力バスバー３０７Ａ−Ｂ及び結合モジュール３０８Ａ‐Ｂの結合された回路遮断器を介して両方の電力系統３０２Ａ、３０２Ｂからコンピューティングラック３１２に電力を同時に送る電気ブリッジを含む電力ルーティングモジュール３０９を含む。いくつかの実施形態では、電力ルーティングモジュール３０９は別々の出力電力ラインを介して両方の電力系統３０２Ａ−Ｂからコンピューティングラック３１２に電力を送る。コンピューティングラック３１２は出力ラインの１つからラック３１２の１つまたは複数のコンピュータシステムへのルーティング電力の間で選択的に切り替わって良い内部に位置する切替えスイッチを含んで良い。いくつかの実施形態では、電力ルーティングアセンブリの結合モジュールの１つまたは複数は、共通装置内のアセンブリの電力ルーティングモジュールと含まれる。いくつかの実施形態では、電力ルーティングアセンブリの結合モジュールの１つまたは複数は、アセンブリの電力ルーティングモジュールを含む装置とは別個の装置に含まれる。例えば、アセンブリ３０６Ａは、電力ルーティングモジュール３０９及び結合モジュール３０８Ａ、Ｂを有する単一の装置を含んで良く、単一の装置からのコネクタは別々の電力バスバー３０７Ａ、３０７Ｂに結合する。別の例では、アセンブリ３０６Ｂは、それぞれモジュール３１０Ａ、３０８Ｃ、３０８Ｄの別々のモジュールを含む３つの別々の装置を含んで良く、モジュール３０８Ｃ、３０８Ｄを含んだ装置はそれぞれ別々の電力バスバー３０７Ａ、３０７Ｃ及び電力ルーティングモジュール３１０Ａに結合される。
【００５０】
ここで図３を参照すると、いくつかの実施形態では、特定の電力ルーティングアセンブリによって提供される電力サポート冗長性は、電力バスアレイの異なる１つまたは複数の電力バスバーに結合するために電力ルーティングラックの中の電力ルーティングアセンブリを少なくとも部分的に調整し、それにより下流の結合された電気的負荷に電力フィードの異なるセットの１つまたは複数の送ることに少なくとも部分的に基づいて変更される。係る調整は、異なる電力バスバーに結合するために電力ルーティングアセンブリの結合モジュールの１つまたは複数の結合を変更し、それにより異なる電力系統から電力を受け取ることを含んで良い。例えば、図３Ｂの示されている実施形態では、電力ルーティングアセンブリ３０６Ａ−Ｂは図３Ａから変わっていないが、電力ルーティングアセンブリ３０６Ｃは少なくとも部分的に調整され、結合モジュール３０８Ｅ及び３０８Ｆはそれぞれ電力バスバー３０７Ｂ及び３０７Ｃに結合することから、それぞれ電力バスバー３０７Ａ及び３０７Ｂに結合することに変更される。結果として、電力ルーティングアセンブリは、電力系統３０２Ｂ及び３０２Ｃの１つからコンピューティングラック３１６に電力を選択的に送ることから、電力系統３０２Ａ及び３０２Ｂから電力を送ることに変更される。さらに、示されている実施形態では、両方の電力系統３０２Ａ−Ｂとも一次電力系統であるのに対し、電力系統３０２Ｃは予備電力系統であるため、電力バスバー３０７Ａ及び３０７Ｂと結合モジュール３０８Ｅ及び３０８Ｆを結合するための電力ルーティングアセンブリの調整は、コンピューティングラック３１６にＮ＋１冗長性を提供することから２Ｎ冗長性を提供することに電力ルーティングアセンブリ３０６を再構成する。上述されたように、電力ルーティングアセンブリ３０６Ｃを含む係る調整は、ラック３０４に関して結合モジュール３０８Ｅ、３０８Ｆの１つまたは複数の位置を調整すること、ラック３０４及びバスアレイ３０５に関して全体的なアセンブリ３０６Ｃの位置を調整すること等を含んで良い。
【００５１】
図４Ａ及び図４Ｂはいくつかの実施形態による電力ルーティングアセンブリを示す概略図である。それぞれの示されている電力ルーティングアセンブリは、電力バスアレイの１つまたは複数の結合された電力バスバーを介して１つまたは複数の電力系統から、コンピューティングラック及びコンピューティングラックに含まれる１つまたは複数のコンピュータシステムを含んで良い下流の結合された電気的負荷に、受け取られた電力を送るように構成される。
【００５２】
最初に図４Ａを参照すると、電力ルーティングアセンブリ４００は、電力ルーティングモジュール４０２、及びそれぞれ各回路遮断器を含む２つの結合モジュール４０４、４０６を含む。各結合モジュールは、結合されたバスバーによって運ばれる電力を受け取るために電力バスアレイ（不図示）の別個の電力バスバーに結合するコネクタ４２２、４２４を含む。また、各結合モジュールは、それぞれのコネクタ４２２、４２４を介してそれぞれの電力バスバーから受け取られる電力フィードに遮断器サポートを提供するそれぞれの回路遮断器４１４、４１６も含む。示されている実施形態に示されるようないくつかの実施形態では、それぞれの別個のバスバーは別個の電力系統から受け取られた電力を運び、各回路遮断器４１４、４１６は別個の電力系統から受け取られる電力フィードに遮断器サポートを提供する。いくつかの実施形態では、それぞれの結合された電力バスバーは共通の電力系統から電力を運び、各回路遮断器４１４、４１６は共通の電力系統から受け取られた別個の電力フィードに遮断器サポートを提供する。
【００５３】
各結合モジュール４０４、４０６は、電力ルーティングモジュール４０２の別個の電源コネクタ４２６、４２８を介して電力ルーティングモジュール４０２に結合される。いくつかの実施形態では、コネクタ４２６、４２８の１つまたは複数は、結合モジュールに結合されるとき、電力ルーティングモジュールに関して結合モジュールのコネクタの位置を固定する固定コネクタである。例えば、コネクタ４２６が固定コネクタである場合、コネクタ４２６を介した電力ルーティングモジュール４０２への結合モジュール４０４は電力ルーティングモジュール４０２に関してコネクタ４２２の位置を固定して良い。いくつかの実施形態では、電源コネクタは少なくとも部分的に調整可能であり、電力ルーティングモジュールに関する結合モジュール電源コネクタの位置は、電力ルーティングモジュールに関する電源コネクタ及び結合モジュールの１つまたは複数の調整に少なくとも部分的に基づいて調整されて良い。例えば、コネクタ４２８は調整可能なコネクタ、及びコネクタ４２８の１つまたは複数を含んで良く、結合モジュール４０６は電力ルーティングモジュール４０２に関して調整可能に位置決めされて良い。いくつかの実施形態では、各電源コネクタは、結合された結合モジュールの回路遮断器モジュールの対応する回路遮断器の電力端子を含んで良く、対応する電力遮断器コネクタから電力ルーティングモジュール４０２のルーティング要素４１２に電力を送る結合モジュール電源コネクタの中に受け入れられるように構成される。いくつかの実施形態では、ルーティング要素は、出力コネクタ４２９を介してコネクタ４２６、４２８の１つから下流の結合された電気的負荷に電力を選択的に送る交換装置である。下流の結合された電気的負荷は１つまたは複数のコンピューティングラックを含んで良い。
【００５４】
いくつかの実施形態では、電力ルーティングアセンブリ４００の少なくとも一部は電気的アースに結合される。この示されている実施形態では、例えば、電力ルーティングアセンブリ４００は、電力ルーティングモジュール４０２上の固定された接続を通して電気的アース４３０に結合される。いくつかの実施形態では、電力ルーティングアセンブリ４００は、モジュール４０２、４０４、４０６等の１つまたは複数上のフラックスコネクタを通して結合モジュール４０４、４０６の１つまたは複数のコネクタを通って電気的アースに結合できる。
【００５５】
ここで図４Ｂを参照すると、電力ルーティングアセンブリ４５０は、電力ルーティングモジュール４５２、及びそれぞれがそれぞれの回路遮断器モジュールを含む２つの結合モジュール４５４、４５６を含む。図４Ａに示される電力ルーティングアセンブリ４００と同様に、各結合モジュールは、１つまたは複数の回路遮断器モジュールコネクタを含んで良く、結合されたバスバーによって運ばれる電力を受け取るために電力バスアレイ（不図示）の別個の電力バスバーに結合し、それぞれのコネクタ４７２、４７４を介してそれぞれの電力バスバーから受け取られる電力フィードに遮断器サポートを提供するそれぞれの回路遮断器４６４、４６６を含み、電力ルーティングモジュール４５２の別個の電源コネクタ４７６、４７８を介して電力ルーティングモジュール４５２に結合されるコネクタ４７２、４７４を含む。また、図３Ａの電力ルーティングアセンブリ４００と同様に、電力ルーティングアセンブリ４５０は、電力ルーティングモジュール４５２上の固定接続を介する電気的アース４８０への結合を含む。
【００５６】
いくつかの実施形態では、ルーティング要素１６２は、出力コネクタ４７９を介して複数のコネクタ４７６、４７８から下流の結合された電気的負荷に受け取られた電力を同時に送る電気ブリッジである。示されている実施形態では、電気的ブリッジ４６２は、単一の出力ラインを介して結合モジュールコネクタ４７２及び４７４から電気的負荷に、受け取られた電力を同時に送る。いくつかの実施形態では、電気ブリッジ４６２は複数のそれぞれの出力ラインを介して複数の回路遮断器コネクタから電気的負荷に、受け取られた電力を同時に送る。
【００５７】
いくつかの実施形態では、及び以下に参照されるように、１つまたは複数の回路遮断器を含む「結合モジュール」は、「回路遮断器モジュール」と呼ばれる。
【００５８】
図５Ａは、いくつかの実施形態に従って電力バスアレイの１つまたは複数の多様なバスバーに結合し、１つまたは複数の多様なバスバーから電力を送るように構成された電力ルーティングアセンブリの斜視図を示す概略図である。電力ルーティングラック５００は、電力バスバー５０５、５０６、及び５０９、ラックシェルフ５２０、並びにそれ自体電力ルーティングモジュール５０２及び２つの回路遮断器モジュール５０３、５０４を含む電力ルーティングアセンブリ５０１を含む。
【００５９】
いくつかの実施形態では、電力ルーティングアセンブリ５０１は、２つ以上の回路遮断器モジュールに結合し、結合された回路遮断器モジュールの１つまたは複数から下流の結合された電気的負荷に電力を送ることができる電力ルーティングモジュールを含む。電力ルーティングモジュール５０２は、対応する別々の電源コネクタ５１４、５１５を介してそれぞれの別々の回路遮断器モジュール５０３、５０４に結合できる。各電源コネクタ５１４、５１５は、それが結合される回路遮断器モジュールの電力端子に受け入れられるように構成されて良い。例えば、各回路遮断器モジュール５０３、５０４が、アクチュエータレバー５３０も含んで良い業界規格の低圧回路遮断器を含む場合、対応する回路遮断器５０３、５０４に各電源コネクタ５１４、５１５を結合することは対応する回路遮断器端子に電源コネクタを結合することを含んで良く、各回路遮断器５０３、５０４を通して送られる電力は、対応する結合された電源コネクタ５１４、５１５を通して電力ルーティングモジュール５０２に渡されて良い。
【００６０】
いくつかの実施形態では、電力ルーティングアセンブリの各回路遮断器モジュール５０３、５０４は、電力バスアレイの別個の電力バスバーに結合できる。回路遮断器モジュールは電力バスバーに接続するように構成される回路遮断器モジュールコネクタを含んで良い。示されている実施形態では、例えば、各回路遮断器モジュール５０３、５０４は、電力バスアレイの１つまたは複数の電力バスバーに回路遮断器モジュールを結合するように構成される対応する回路遮断器モジュール５１２、５１３を含み、電力バスバーに結合された回路遮断器モジュールは電力ルーティングモジュール５０２に電力バスバーによって運ばれる電力を送ることができ、結合された電力バスバーからの電力フィードのために下流のシステム及び構成要素に遮断器サポートをさらに提供できる。例えば、示されている実施形態では、回路遮断器５０３はコネクタ５１２を介して電力バスバー５０５に結合され、電力バスバー５０５により運ばれる電力を電力ルーティングモジュール５０２に送ることができ、電力バスバー５０５から電力ルーティングアセンブリ５０１を隔離するために切り替わることによって１つまたは複数の下流システム及び構成要素に遮断器サポートをさらに提供できる。同様に、回路遮断器５０４はコネクタ５１３を介して電力バスバー５０６に結合され、電力ルーティングモジュール５０２に電力バスバー５０６によって運ばれる電力を送ることができ、電力バスバー５０６から電力ルーティングアセンブリ５０１を隔離するために切り替わることによって１つまたは複数の下流のシステム及び構成要素に遮断器サポートをさらに提供できる。
【００６１】
いくつかの実施形態では、電力ルーティングアセンブリの少なくとも１つのモジュールは電力ルーティングアセンブリの少なくともモジュールを電気的に接地するために電気的アースに結合される。例えば、示されている実施形態では、バスバー５０９は電気的アースバスバーであり、電力ルーティングモジュール５０２は電力ルーティングアセンブリ５０１を電気的に接地するためにバスバー５０９と結合する電気的アースバスコネクタ５１１を含む。いくつかの実施形態では、電力ルーティングアセンブリの１つまたは複数の多様なモジュールは電力ルーティングアセンブリの少なくとも一部分を電気的に接地するために１つまたは複数の電気的アースと結合される。例えば、いくつかの実施形態では、モジュール５０３、５０４の１つまたは複数は、電力ルーティングアセンブリ５０１を電気的に接地するために電気的アースと結合できる電気的アースコネクタを含んで良い。いくつかの実施形態では、電気的アースは電気的アースへのケーブルを含んで良く、電力ルーティングアセンブリの１つまたは複数のモジュールでの電気的アースコネクタは電気的アースケーブルコネクタを含んで良い。
【００６２】
いくつかの実施形態では、電力ルーティングアセンブリの電力ルーティングモジュールはケーブルコネクタを含み、出力ケーブルを介して１つまたは複数の回路遮断器モジュールから下流の結合された電気的負荷に、受け取られた電力を送るように構成される。例えば、示されている実施形態では、電力ルーティングモジュール５０２は出力コネクタ５１６Ａを含み、係るコネクタ５１６Ａを介して、１つまたは複数の下流の電気的負荷に電力ルーティングモジュール５０２の電力出力を運んで良い出力ケーブル５０８Ａに結合される。出力ケーブル５０８Ａは電力ルーティングモジュール５０２、及びコンピューティングラックを含んだ下流の電気的負荷を直接的にまたは間接的に結合して良い。出力ケーブル５０８Ａは電力ルーティングラックを通して出力ケーブルジャンクションに伸長して良く、出力ケーブル５０８Ａは電力ルーティングラックからコンピューティングラックに伸長する別のケーブルに結合される。
【００６３】
いくつかの実施形態では、電力ルーティングアセンブリは電力ルーティングラック内の１つまたは複数の場所に調整可能に位置決めされるように構成される。電力ルーティングアセンブリの係る調整可能な位置決めは、電力ルーティングアセンブリを電力ルーティングラックの一部分の中に位置決めする、及び再度位置決めし直すことを可能にして、電力ルーティングアセンブリの１つまたは複数のコネクタを位置合わせし、電力バスバーの多様なセットと結合し、それにより電力系統の１つまたは複数の多様なセットから下流の結合された電気的負荷に電力を送るように電力ルーティングアセンブリを構成できる。いくつかの実施形態では、電力ルーティングアセンブリはラック内のシェルフに取り付けられていることに少なくとも部分的に基づいて電力ルーティングラックに位置決めされて良い。例えば、示されている実施形態では、電力ルーティングアセンブリ５０１は、ラック５００の中で垂直に位置決めされて良いシェルフ５２０に取り付けられる。シェルフ５２０は、電力ルーティングアセンブリを垂直に調整する、構造用支持材を提供する等のためにラック５００の１つまたは複数の壁部分５３２に沿って垂直に調整可能であって良い。電力ルーティングアセンブリは、ルーティングアセンブリを位置決めして、多様な電力バスバーとコネクタ５１２、５１３を位置合わせするためにシェルフ５２０で側面方向に調整可能であって良い。いくつかの実施形態では、ルーティングアセンブリ５０１それ自体のいくつかまたはすべては、ラック５００の中の１つまたは複数の位置にアセンブリ５０１を位置決めするために、ラック５００内の多様な取付け要素に結合されるように構成される。例えば、ルーティングモジュール５０２は、ラック５００の中の特定な位置にルーティングアセンブリ５０１の少なくとも一部分を固定するためにラック（不図示）の１つまたは複数の取付け位置と接続できる１つまたは複数の取付け部分５２６を含んで良い。別の例では、ルーティングアセンブリ５０１は、（不図示）回路遮断器モジュール５０３、５０４を含んだ、アセンブリ５０１のいくつかまたはすべてに構造用支持材を提供する１つまたは複数の構造用支持材要素５２２、５２４を含んで良い。係る構造用支持材要素５２２、５２４は、ラック５００の中の特定の位置にルーティングアセンブリ５０１の少なくとも一部分を固定するためにラック（不図示）の１つまたは複数の取付け部分と接続できる１つまたは複数の取付け要素５４２を含んで良い。電力ルーティングアセンブリの位置を調整することは、ラック５００の多様な異なる取付け位置と接続してラック５００の１つまたは複数の多様な位置にルーティングアセンブリ５０１の少なくとも一部分を固定するために取付け要素５４２、５２６等の１つまたは複数を調整することを含んで良い。
【００６４】
図５Ｂは、いくつかの実施形態に係る負荷に電力を供給するように構成された電力ルーティングのルーティングモジュールを示す概略図である。いくつかの実施形態では、電力ルーティングアセンブリの電力ルーティングモジュールはバスバーコネクタを含み、出力電力バスバーを通して１つまたは複数の回路遮断器モジュールから下流の結合された電気的負荷に、受け取られた電力を送るように構成される。例えば、示されている実施形態では、電力ルーティングモジュール５０２はバスバーコネクタ５１６Ｂを含み、１つまたは複数の下流の電気的負荷に電力ルーティングモジュール５０２の電力出力を運んで良い出力電力バスバー５０８Ａに係るコネクタ５１６Ｂを介して結合される。出力バスバー５０８Ｂは、電力ルーティングモジュール５０２及びコンピューティングラックを含んだ下流の電気的負荷を直接的にまたは間接的に結合して良い。例えば、出力バスバー５０８Ｂは電力ルーティングラックを通して出力ケーブルジャンクションに伸長して良く、出力バスバー５０８Ｂは電力ルーティングラックからコンピューティングラックに伸長する別のケーブルに結合される。
【００６５】
図５Ｃは、いくつかの実施形態に係る電力バスアレイの１つまたは複数の多様なバスバーに結合し、１つまたは複数の多様なバスバーから電力を送るように構成された電力ルーティングアセンブリの回路遮断器モジュールを示す概略図である。
【００６６】
いくつかの実施形態では、回路遮断器モジュールは、アダプタコネクタを介して電力バスに回路遮断器コネクタを結合する回路遮断器モジュールコネクタを含む。例えば、示されている例では回路遮断器モジュール５０３はアクチュエータレバー５３０付きの業界標準低圧回路遮断器、及び業界標準低圧回路遮断器コネクタ５５２、５５４を含んで良い。いくつかの実施形態では、コネクタ５５２は、電力バスバー５０５とコネクタ５５２を結合するコネクタアダプタ５５６に結合される。係るコネクタアダプタは、コネクタ５５２の中に保持され、電力バスバー５０５に回路遮断器５０３を「留める」「クリップ」アダプタを含んで良い。いくつかの実施形態では、コネクタ５５２は電力バスバー５０５と回路遮断器５０３を結合するように構成される。係る実施形態では、クリップ５５６は欠けていて良く、回路遮断器モジュールコネクタ５１２はコネクタ５５２を含んで良く、回路遮断器モジュール５０３はコネクタ５５２を通して電力バスバー５０５と直接的に結合して良い。
【００６７】
図６Ａは、いくつかの実施形態に従って多様な電力サポート冗長性を提供するために単相電力バスアレイの多様な電力バスバーに結合された電力ルーティングアセンブリを示す概略図である。電力ルーティングラック６００は電力ルーティングアセンブリ６０１、６０２、及び平行して伸長する電力バスバー６０６、６０８、６１０、６１２、６１４、６１６のアレイを含む。
【００６８】
いくつかの実施形態では、電力ルーティングラックは電力バスアレイを含み、電力バスアレイの１つまたは複数の電力バスバーはそれぞれ、１つまたは複数の多様な電源から単一の特定の相、電力の特定の相組合せ等を運ぶ。電力バスアレイの電力バスバーは、１つまたは複数のコネクタを位置合わせして電力バスアレイの電力バスバーの１つまたは複数の特定の組合せと結合するために電力ルーティングラックで調整されて良いように特定のパターンで配置されて良い。電力バスバーの特定の組合せとの結合を可能にすることは、電力ルーティングアセンブリが電力バスバーの特定の組合せに対応する１つまたは複数の特定の電源から受け取られる電力を送ることを可能にして良い。例えば、示されている実施形態では、各電力バスバー６０６、６０８、６１０、６１２、６１４、６１６は、それぞれの隣接する電力バスバーから等しい距離６０３をあけて置かれる。
【００６９】
いくつかの実施形態では、電力ルーティングアセンブリは、特定の距離をあけて置かれる１つまたは複数のシステム及び構成要素を含み、電力ルーティングアセンブリは、電力ルーティングラックの電力ルーティングアセンブリの位置に少なくとも部分的に基づいて、電力ルーティングアセンブリ上のコネクタを電力バスアレイの特定の離間された電力バスバーに位置合わせするために電力ルーティングラックの中で調整できる。示されている実施形態では、各電力ルーティングアセンブリ６０１、６０２は電力ルーティングモジュールの向かい合った側面に結合された回路遮断器モジュールを含み、回路遮断器モジュールは電力ルーティングモジュールに関して固定された位置で結合され、各回路遮断器モジュール上のコネクタは少なくとも電力ルーティングモジュールから特定の距離をあけて置かれる。さらに、各回路遮断器モジュール上の回路遮断器モジュールコネクタは特定の距離をあけて置かれて良く、回路遮断器モジュールコネクタの間隔は、電力バスアレイの２つ以上の電力バスバー間の価格距離の割合に相当して良い。例えば、示されている実施形態では、各電力ルーティングアセンブリ６０１、６０２は、電力バスアレイ上の電力バスに回路遮断器モジュールを結合するように構成される対応する回路遮断器モジュールコネクタ６１８、６２０、６３０、６３２を有する回路遮断器モジュールを含む。各電力ルーティングアセンブリ６０１、６０２は、互いに関して固定位置で結合された回路遮断器モジュール、及び電力ルーティングモジュールを含み、これにより各電力ルーティングアセンブリ上の各コネクタ組６１８、６２０、及び６３０、６３２は共通特定距離６２８をあけて置かれる。示されている実施形態では、特定距離６２８は隣接する平行した電力バスバー間の間隔６０３の４倍の割合に相当し、これにより特定の電力ルーティングアセンブリが電力バスに垂直に向けられ、一方の回路遮断器モジュールの一方のコネクタ６１８が１つの電力バスバー６０６と結合するために位置合わせされ、他方の回路遮断器モジュールの他方のコネクタ６２０が４つのバスバーにより第１の電力バスバー６０６から偏位される電力バスバー６１４と結合するために位置合わせされるように位置決めされる。同様に、電力ルーティングアセンブリ６０２は、コネクタ６３０を位置合わせして電力バスバーと結合するために位置決めされる。
【００７０】
いくつかの実施形態では、電力バスアレイの多様な電力バスバーは特定の配置の多様な電源から電力を運び、回路遮断器モジュールコネクタを位置合わせして別々の電力バスバーと結合するために電力ルーティングアセンブリを位置決めすることは、電源の特定の組合せの１つまたは複数から電力を送るように電力ルーティングアセンブリを構成する。例えば、示される実施形態では、電力バスアレイは１つまたは複数の多様な電源から１つまたは複数の多様な電力フィードを運ぶ平行した電力バスバーの特定の配置を含む。電力バスバー６０６及び６０８はそれぞれ第１の一次電源から電力を運び、電力バスバー６１４は第２の一次電源から電力を運び、電力バスバー６１６は予備電源から電力を運び、電力バスバー６１０及び６１２は電気的アースに結合される。
【００７１】
示されている実施形態では、電力バスバーは特定の距離をあけて置かれ、電力ルーティングアセンブリは互いに関して固定位置で結合されたモジュールを含むので、回路遮断器コネクタを位置合わせして別々の電力バスバーと結合するために電力ルーティングアセンブリを位置決めすることは１つまたは複数の下流の結合された電気的負荷に特定の電力サポート冗長性を提供するように電力ルーティングアセンブリを構成する。例えば、電力ルーティングアセンブリ６０１がコネクタ６１８及び６２０を位置合わせしてそれぞれ電力バスバー６０６及び６１４に結合する、示されている実施形態では、電力ルーティングアセンブリ６０１は、第１の一次電源及び第２の一次電力系統の１つまたは複数から電力を送り、それによって１つまたは複数の下流の結合された電気的負荷に２Ｎ冗長性を提供するように構成される。電力ルーティングアセンブリ６０２がコネクタ６３０及び６３２を位置合わせしてそれぞれ電力バスバー６０８及び６１６に結合するように位置決めされる別の示される例では、電力ルーティングアセンブリ６０２は第１の一次電力系統及び予備一次電力系統の１つまたは複数から電力を送り、それにより１つまたは複数の下流の結合された電気的負荷にＮ＋１冗長性を提供するように構成される。
【００７２】
両方の電力ルーティングアセンブリが互いに関して固定位置で結合された回路遮断器モジュール及び電力ルーティングモジュールを含むいくつかの実施形態では、そのそれぞれのコネクタを位置合わせして電力バスバーの異なるセットと結合するために電力ルーティングアセンブリの１つを再位置決めすることは、電力ルーティングアセンブリによって提供される電力サポート冗長性を変更できる。例えば、コネクタ６１８、６２０を位置合わせして、それぞれ電力バスバー６０８、６１６と結合するために電力ルーティングアセンブリ６０１の位置を水平に調整することは、２Ｎ冗長性を提供することからＮ＋１冗長性を提供することに電力ルーティングアセンブリを変更する。さらに、所与の電力ルーティングアセンブリによって提供される冗長性は、コネクタが位置合わせされる電力バスバーに少なくとも部分的に基づいているため、所与の電力ルーティングアセンブリの冗長性構成は電力ルーティングラックの目視観察を通して即座に確認可能であって良い。
【００７３】
さらに、電力ルーティングアセンブリのいくつかの実施形態は固定電気的アース接続を含み、電力バスアレイは、電力ルーティングラックの中の電力ルーティングアセンブリの位置に少なくとも部分的に基づいて電気的アースに１つまたは複数の電力ルーティングアセンブリを結合するように構成された複数の電力バスバーを含んで良い。例えば、示されている実施形態では、電力ルーティングラック６００は、特定の距離６０３をあけて置かれた２つの平行な接地電力バスバー６１０、６１２を含み、これにより回路遮断器モジュールコネクタから距離６２４、６２６の特定のセットをあけて置かれるそれぞれの接地コネクタ６２２、６３４をそれぞれ含む各電力ルーティングアセンブリ６０１、６０２は、回路基板モジュールコネクタが電力バスバーのどの組合せに結合するために位置合わせされるのかに少なくとも部分的に基づいて接地電力バスバーの１つとそのそれぞれの接地コネクタを結合するように位置合わせされる。
【００７４】
図６Ｂは、いくつかの実施形態に係る多様な電力サポート冗長性を提供するために多相電力バスバーアレイの多様な電力バスバーに結合された電力ルーティングアセンブリを示す概略図である。
【００７５】
いくつかの実施形態では、電力バスアレイの電力バスバーアレイの１つまたは複数のセットは、特定の電力系統から受け取られる多様な相の電力を運ぶ電力バーを含む。係る実施形態は、３−ワイヤデルタ構成を含んで良い。例えば、示されている実施形態では、電力ルーティングラック６５０は電力バスバーの複数のセット６９１、６９２、６９６、６９７を含み、電力バスバーの各セットは多様な電力系統から受け取られる三相電力の異なる相をそれぞれ運ぶ電力バスバーを含む。セット６９１及び６９６は、第１の一次電源から受け取られた三相電力の一相を運ぶ電力バスバーをそれぞれ含んで良い。セット６９２は、第２の一次電源から受け取られる三相電力の一相を運ぶ電力バスバーを含む。セット６９７は予備一次電源から受け取られた三相電力の一相を運ぶ電力バスバーを含む。いくつかの実施形態では、電力バスアレイの電力バスバーの１つまたは複数のセットはそれぞれ、特定の電力系統から受け取られる多様な相の組合せの電力をそれぞれ運ぶ電力バーを含む。例えば、三相（例えば、ＡＢＣ）電力を集合的に運ぶ３−ワイヤデルタシステムでは、各電力バスバーはＡＢ、ＢＣ、ＡＣ相組合せの電力の１つまたは複数を運んで良い。
【００７６】
いくつかの実施形態では、電力ルーティングアセンブリは、少なくとも２つの回路遮断器モジュールコネクタを位置合わせして電力バスバーの別々のセットで別々の電力バスバーと結合するために電力ルーティングアセンブリを位置決めすることに少なくとも部分的に基づいて電力バスアレイを介して１つまたは複数の電力系統から電力を送るように構成される。
【００７７】
電力ルーティングラックの電力ルーティングアセンブリが、互いに関して固定位置で結合されるモジュールを含むいくつかの実施形態では、各電力ルーティングアセンブリは、その中に含まれる２つの回路遮断器モジュールコネクタを位置合わせして、電力バスバーのセットの組の別々の電力バスバーと結合するために電力ルーティングラックの中で位置決め可能であって良い。例えば、示されている実施形態では、各電力ルーティングアセンブリ６６０、６７０、６８０は、特定の距離をあけて置かれる対応する組の回路遮断器コネクタ６６２、６６４、６７２、６７４、６８２、６８４を含み、特定の距離は、電力バスバーの２つの別々のセットの共通の相の電力バスバー間の距離に相当する。示されるように、電力ルーティングアセンブリ６６０は、電力バスバーセット６９１、６９２の第１の組６９０の対応するＡ相電力バスバーにコネクタ６６２、６６４を位置合わせするために位置決めされ、これにより電力ルーティングアセンブリ６６０は第１の一次電源及び第２の一次電源の１つからＡ相電力を送って、下流の結合された電気的負荷に２Ｎ冗長性を提供するように構成される。さらに、電力ルーティングアセンブリ６７０は、電力バスバーセット６９１、６９２の第１の組６９０の対応するＢ相電力バスバーにコネクタ６７２、６７４を位置合わせするために位置決めされ、これにより電力ルーティングアセンブリ６６０は、第１の一次電源及び第２の一次電源の１つからＢ相電力を送って、下流の結合された電気的負荷に２Ｎ冗長性を提供するように構成される。さらに、電力ルーティングアセンブリ６８０は、電力バスバーセット６９６、６９７の第２の組６９５の対応するＡ相電力バスバーにコネクタ６８２、６８４を位置合わせするために位置決めされ、これにより電力ルーティングアセンブリ６８０は、第１の一次電源及び予備一次電源の１つからＡ相電力を送って、下流の結合された電気的負荷にＮ＋１冗長性を提供するように構成される。
【００７８】
図７は、いくつかの実施形態に従って、電力バスアレイ、及び電力バスアレイの１つまたは複数の多様なバスバーに結合し、１つまたは複数の多様なバスバーから電力を送るために調整されるように構成された電力ルーティングアセンブリを含んだ電力ルーティングラックの垂直図を示す概略図である。
【００７９】
いくつかの実施形態では、電力ルーティングラックは、電力バスアレイの少なくとも一部分がそれを通って伸長する一部分、及び１つまたは複数の多様な電力ルーティングアセンブリが電力バスアレイの１つまたは複数の電力バスバーと結合するためにその中に調整可能に取り付けられる別の部分を含む。例えば、示されている実施形態の電力ルーティングラック７００の垂直（「上下」）図では、電力ルーティングラック７００は、１つまたは複数の電力ルーティングアセンブリ７０３がその中に調整可能に位置決めされ、取り付けられる等であって良いルーティングアセンブリ部分７０１、及び電力バスアレイがその中を通って伸長する電力バスアレイ部分７０２を含む。いくつかの実施形態では、複数の電力ルーティングアセンブリ７０３は部分７０１の中で垂直に配置されて良い。追加のアセンブリ７０３は示されているアセンブリ７０３の上方及び下方に位置決めされて良いが、説明のために、単一のアセンブリ７０３は少なくとも部分７０１の垂直図に示され、複数のアセンブリ７０３は、共通バスバーを含んだ、部分７０２の多様な１つまたは複数のバスバーに結合されて良い。示されている実施形態では、電力バスアレイは、部分７０２を通って垂直で及び平行して伸長する電力バスバーの複数のセット７１０、７１２、７１４、７１６を含む。いくつかの実施形態では、電力バスアレイ部分７０２の電力バスバーは水平に、斜めに、そのなんらかの組合せ等で伸長して良い。
【００８０】
いくつかの実施形態では、電力バスアレイは電力バスバーの複数のセットを含み、電力バスバーのそれぞれは１つまたは複数の特定の電力系統を介して１つまたは複数の特定の電源から受け取られる電力を運ぶ。電力バスバーの各セットは複数の電力バスバーを含んで良い。係る実施形態は、４ワイヤＹ字構成を含んで良い。例えば、電力系統から受け取られる電力フィードが、三相電力を含んだ多相電力を含む場合、電力バスバーの所与のセットの１つまたは複数の電力バスバーは特定の電力系統から受け取られる別個の相の電力を運んで良く、中性線はルーティングアセンブリの接地コネクタの複数の電位位置に対応する複数の接地母線バーに結合されて良い。示されている実施形態では、バスバーの各セット７１０、７１２、７１４、７１６は、それぞれ特定の電力系統から受け取られる別個の相の電力（Ａ、Ｂ、Ｃ）を運ぶ３つのバスバーを含む。また示されるように、電力バスバーの各セットは３つの電力系統（一次電力系統１、一次電力系統２、予備電力系統）の１つから電力を受け取り、２つの別々のセット７１４、７１６はそれぞれ共通一次電力系統１から電力を受け取る。
【００８１】
示されている実施形態にやはり示されるように、電力バスバーの１つまたは複数のセットのいくつかの実施形態は、電気的アースに結合される１つまたは複数の接地母線バーを含む。電力バスバーのセットの接地母線バーのそれぞれは、４ワイヤＹ字システムで共通の中性線に結合されて良い。以下にさらに説明されるように、電力ルーティングアセンブリの少なくとも一部は、電力ルーティングアセンブリを接地するために接地母線の１つまたは複数と結合できる。
【００８２】
いくつかの実施形態では、電力バスアレイの電力バスバーは互いに関して特定の配置で２つ以上の特定の電力バスバーを位置決めするために１つまたは複数の配置で配置されて良い。例えば、示されている実施形態では、特定の電源から受け取られる特定の相（Ａ、Ｂ、またはＣ）の電力を運ぶ電力バスバーは各それぞれのセットの中で配置され、セット自体も、５つの他の電力バスバーが共通相を運ぶ近接の電力バスバー間で点在するように特定の相の電力を運ぶ電力バーを、間隔をあけて置くために部分７０２の中に配置される。さらに以下に説明されるように、１つまたは複数の特定の配置に従って電力バスバーを配置することは、いくつかの実施形態では、電力ルーティング機構を、２つ以上の回路遮断器モジュールコネクタを位置合わせして、それぞれが１つまたは複数の多様な電力系統から受け取られる共通相の電力を運ぶ別々の電力バスバーと結合するために調整できるようにする。
【００８３】
示されている実施形態では、電力ルーティングアセンブリ部分７０１は、部分７０２の１つまたは複数の電力バスバーから、コンピューティングラックのコンピュータシステム、サーバ等を含んで良い下流の結合された電気的負荷に電力を送る１つまたは複数の電力ルーティングアセンブリ７０３を含む。示されているように、及び上記図を参照して上記にさらに説明されるように、電力ルーティングアセンブリ７０３は、１つまたは複数の出力コネクタ７２２を介して負荷に結合される電力ルーティングモジュール７０４、及び電力ルーティングモジュール７０４の別々の電源コネクタを介して電力ルーティングモジュールに結合された２つの回路遮断器モジュール７０６、７０８を含むことがある。示される実施形態にも示されるように、各回路遮断器モジュール７０６、７０８は、電力バスアレイの電力バスバーと結合できる別個の回路遮断器モジュールコネクタ７０７、７０９を含んで良く、電力バスバーに結合された回路遮断器モジュールは電力バスバーからの電力のために下流のシステム及び構成要素に破壊サポートを提供する一方、その電力バスバーから電力ルーティングモジュールに電力を送ることができる。
【００８４】
いくつかの実施形態では、電力ルーティングアセンブリの少なくともなんらかの部分は電力ルーティングモジュールの少なくとも一部を設置するために１つまたは複数の電気的アースに結合される。電気的設置への結合は、電力ルーティングアセンブリのどこかに位置する接地コネクタを介して実装されて良い。接地コネクタは固定コネクタを含んで良く、電力ルーティングアセンブリを位置決めして、回路遮断器モジュールを位置合わせし、別々の電力バスバーと結合するために電力ルーティングラックの中で電力ルーティングアセンブリを調整することは、１つまたは複数の多様な電気的接地と結合するために電力ルーティングアセンブリで接地コネクタを位置合わせすることを含んで良い。例えば、示されている実施形態では、電力ルーティングアセンブリ７０３は、コネクタ７２０が位置合わせされる接地母線バーに結合される電力ルーティングモジュール７０４で接地コネクタ７２０を含む。示され、上述されたように、電力バスアレイ部分７０２は電力バスバーの１つまたは複数のセットで複数の接地母線バーを含んで良く、各接地母線バーは、電力ルーティングアセンブリの接地コネクタ７２０が、電力ルーティングアセンブリが部分７０２の任意の２つの別々の電力バスバーと回路遮断器モジュールコネクタ７０７、７０９を位置合わせするために位置決めされる場合、接地母線バーの少なくとも１つと結合するために位置合わせされるようにアレイ部分７０２の中に位置決めされる。示されている実施形態では、電力ルーティングアセンブリ７０３は、セット７１２、７１６のＣ相電力を運ぶ別々の電力バスバーとコネクタ７０７、７０９を位置合わせするために位置決めされ、これにより電力ルーティングアセンブリ７０３は第１の一次電力系統及び第２の一次電力系統の１つからＣ相電力を運ぶことができる。
【００８５】
いくつかの実施形態では、接地母線バー及び対応する電力バスバーの間隔は、電力ルーティングアセンブリでの接地コネクタ及び少なくとも１つの回路遮断器モジュールコネクタのおおよその間隔に一致し、これにより電力バスアレイの電力バスバーと回路遮断器モジュールコネクタを位置合わせすることは、対応する接地母線バーと接地コネクタも位置合わせする。例えば、示されている実施形態では、コネクタ７２０は各電力バスバーと、部分７０２の各電力バスバーセットの対応する接地母線バーとの間の間隔に対応する特定の距離をコネクタ７０９からあけて置かれる。したがって、セット７１６のＣ相電力バスバーとコネクタ７０９を位置合わせすることは、セット７１６のＣ相電力バスバーに対応する接地母線バーとコネクタ７２０を位置合わせする。
【００８６】
いくつかの実施形態では、電力ルーティングアセンブリは、電力ルーティングモジュール、及び互いに関して固定位置で結合される回路遮断器モジュールを含み、電力ルーティングアセンブリの回路遮断器モジュールコネクタは特定の距離をあけて置かれる。例えば、モジュール７０４、７０６、７０８が互いに関する固定位置で結合される示されている実施形態では、コネクタ７０７及び７０９は特定の距離をあけて置かれる。いくつかの実施形態では、電力バスアレイの１つまたは複数の電力バスバーは回路遮断器モジュールコネクタ間の特定の距離に相当する距離をあけて置かれ、これにより回路遮断器モジュールの１つを位置合わせして電力バスバーの１つと結合することは、特定の距離分第１の電力バスバーから間隔をあけて置かれた別の特定の電力バスバーと他の回路遮断器モジュールコネクタを位置合わせする。例えば、示されている実施形態では、電力バスバーの交互のセット（例えば、セット７１６と７１２、セット７１４と７１０）の共通相の対応する電力バスバーは、電力ルーティングアセンブリ７０３のコネクタ７０７、７０７間の固定距離に相当する特定の距離をあけて置かれる。コネクタ７０９を位置合わせしてセット７１６または７１４の電力の相を運ぶ電力バスバーの１つと結合するために部分７０１の中で電力ルーティングアセンブリ７０３を調整可能に位置決めすることも、コネクタ７０９が結合するために位置合わせされる電力バスバーで共通相を運ぶそれぞれセット７１２または７１０の対応する電力バスバーと結合するためにコネクタ７０７を位置合わせする。電力バスバーの各セットは１つまたは複数の多様な電力系統から電力を運ぶため、電力系統が一次電力系統、予備電力系統等を含んで良い場合、コネクタ７０７、７０９を位置合わせしてセット７１０、７１２、７１４、７１６の２つで多様な別々な電力バスバーと結合するために部分７０１に電力ルーティングアセンブリ７０３を位置決めすることは、下流の結合された電気的負荷に特定の電力サポート冗長性を提供するように電力ルーティングアセンブリ７０３を構成する。例えば、電力ルーティングアセンブリ７０３がコネクタ７０７、７０９を位置決めしてセット７１２、７１６のＣ相電力バスバーと結合するために位置決めされる示されている実施形態では、電力バスバーのセット７１６は一次電力系統１から電力を運び、電力バスバーのセット７１２は一次電力系統２から電力を運び、電力ルーティングアセンブリ７０３は下流の結合された電気的負荷に２Ｎ電力サポート冗長性を提供するように構成される。アセンブリ７０３がコネクタ７０７、７０９を位置合わせして電力バスバーセット７１０、７１４のＡ相電力を運ぶ電力バスバーに結合するために位置決めされる別の例では、電力バスバーのセット７１４は一次電力系統１から電力を運び、電力バスバーのセット７１０は予備電力系統から電力を運び、電力ルーティングアセンブリ７０３は下流の結合された電気的負荷にＮ＋１電力サポート冗長性を提供するように構成される。
【００８７】
図８は、いくつかの実施形態に従って電力バスアレイの１つまたは複数の多様なバスバーに結合し、１つまたは複数の多様なバスバーから電力を送るために少なくとも部分的に調整されるように構成された電力ルーティングアセンブリの垂直図を示す概略図である。
【００８８】
いくつかの実施形態では、電力ルーティングアセンブリは、電力ルーティングモジュール及びモジュールの１つまたは複数が他のモジュールに関して調整可能に位置決めできる回路遮断器モジュールを含む。係る実施形態では、電力ルーティングモジュールは電力ルーティングアセンブリの１つまたは複数の他のモジュールの位置を認め得るほどに調整することなく、電力ルーティングアセンブリのモジュールの１つまたは複数の位置を調整することによって電力ルーティングラックの中に調整可能に位置決めされて良い。
【００８９】
示されている実施形態の電力ルーティングラック８００の垂直（「上下」）図では、電力ルーティングラック８００は、１つまたは複数の調整可能に位置決め可能なモジュールを有する１つまたは複数の電力ルーティングアセンブリ８０３がその中に調整可能に位置決めされ、取り付けられる等して良いルーティングアセンブリ部分８０１、及び電力バスがそれを通って伸長する電力バスアレイ部分８０２を含む。示されている実施形態では、電力バスアレイは、垂直に及び部分８０２を通して平行に伸長する電力バスバーの複数のセット８１０、８１２、８１４を含む。いくつかの実施形態では、電力バスアレイ部分８０２の電力バスバーは水平に、斜めに、そのなんらかの組合せで等伸長して良い。電力ルーティングアセンブリ８０３は、別々の電源コネクタ８３４、８３２を通って回路遮断器モジュール８０６、８０８に結合される電力ルーティングモジュール８０４を含む。
【００９０】
いくつかの実施形態では、電源コネクタの１つまたは複数は固定位置の回路モジュールの１つまたは複数に結合され、これにより回路遮断器モジュールは電力ルーティングモジュールに関して固定位置で結合される。例えば、電源コネクタ８３２はルーティングモジュール８０４に関する固定位置で回路遮断器モジュール８０８を結合して良い。コネクタ８３２はコネクタ要素８４４と結合するために回路遮断器モジュール８０８の端子の中に受け入れられて良く、コネクタ８０９を介して結合された電力バスバーから回路遮断器モジュール８０８に受け入れられる電力はコネクタ８３２を介してルーティングモジュール８０４に送られて良い。
【００９１】
いくつかの実施形態では、電源コネクタの１つまたは複数は、１つまたは複数の多様な位置で回路モジュールの１つまたは複数に調整可能に結合され、回路遮断器モジュールはこれによって電力ルーティングモジュールに関して多様な位置で調整可能に配置できる。例えば、電源コネクタ８３４は、ルーティングモジュール８０４に関して１つまたは多様な調整可能な位置で回路遮断器モジュール８０６を結合して良い。コネクタ８３４は、コネクタ８４２と結合するために回路遮断器モジュール８０６の端子８３８の中に受け入られて良く、コネクタ８０７を介して結合された電力バスバーから回路遮断器モジュール８０６の中に受け入れられた電力はコネクタ８３４を介してルーティングモジュール８０４の中に送られて良い。コネクタ８３４は端子８３６を介してルーティングモジュール８０４と結合して良い。
【００９２】
示されている実施形態に示されるように、いくつかの実施形態では、電源コネクタ及び回路遮断器モジュールの１つまたは複数は回路遮断器モジュールを調整可能に位置決めして電力バスアレイの１つまたは複数の多様な電力バスバーと位置合わせするために調整可能であって良い。いくつかの実施形態では、電源コネクタ８３４は電力ルーティングモジュール８０４に関して特定の位置で固定され、回路遮断器モジュール８０６はコネクタ８３４の長さに沿って１つまたは複数の多様な点でコネクタ８３４と結合するために調整可能に位置決めできる。回路遮断器モジュール８０６は、コネクタ８３４の長さに沿って１つまたは多様な点でコネクタ８３４と要素８４２を結合するためにコネクタ８３４の長さに沿って摺動自在に調整されて良い。
【００９３】
別の例では、及び示されている実施形態に示されるように、コネクタ８３４自体はルーティングモジュール８０４に関して回路遮断器モジュール８０６の位置を調整するために調整可能であって良い。例えば、コネクタ８３４は、端子８３６の中に摺動自在に受け入れられて良く、要素８４２を介してコネクタ８３４上の固定位置でモジュール８０６に結合されて良く、これによりモジュール８０４に関する回路遮断器モジュール８０６の位置は、モジュール８０４から離れて伸長するまたはモジュール８０４に向かって収縮するようにコネクタ８３４を調整することによって調整されて良い。示されている実施形態では、モジュール８０６は、コネクタ８０７を位置合わせして電力バスバーセット８１０のＡ相電力バスバーと結合するために位置決めされ、これによりモジュール８０６は、電力バスバーのセット８１０を通して運ばれる予備電力系統からＡ相電力をルーティングモジュール８０４に送ることができ、アセンブリ８０３は少なくともコネクタ８２２を介して１つまたは複数の下流の結合された電気的負荷にＮ＋１電力供給冗長性を提供するように構成される。別の例では、モジュール８０６及びコネクタ８３４の１つまたは複数は電力バスバーセット８１２のＡ相電力バスバーとコネクタ８０７を位置合わせするためにモジュール８０６を調整可能に位置決めするために調整されて良く、これによりモジュール８０６は、電力バスバーのセット８１０を通って運ばれる第２の一次電力系統からルーティングモジュール８０４にＡ相電力を送ることができ、アセンブリ８０３は少なくともコネクタ８２２を介して１つまたは複数の下流の結合された電気的負荷に２Ｎ電力サポート冗長性を提供するように構成される。
【００９４】
いくつかの実施形態では、電力バスアレイはアレイの電力バスバーの１つまたは複数のセットは無関係である１つまたは複数の電気接地母線バーを含む。１つまたは複数の他のモジュールが電力ルーティングアセンブリの電力サポート冗長性構成を再構成するために調整可能に位置決めされる一方、電力ルーティングアセンブリが固定位置に留まる１つまたは複数のモジュールを含む場合、「固定された」１つまたは複数のモジュールは固定された接地コネクタを含んで良い。固定モジュールは、他のモジュールが調整可能に位置決めされるとき認め得るほどに移動しないため、固定モジュール上の接地コネクタは、他のモジュールは多様な異なる電力バスバーに結合されるが、所与の接地バスバーとの結合を維持して良い。例えば、モジュール８０６はコネクタ８０７を位置合わせして多様な電力バスバーと結合するために水平方向で調整可能に位置決めされる一方、電力ルーティングモジュール８０４が認め得るほどに固定された水平位置に留まる示される実施形態では、コネクタ８２０は固定位置に留まり、単一接地母線バーに結合されたままとなって良い。したがって、電力バスアレイ部分８０２は、接地８１６に結合される垂直に伸長する単一の接地母線バー８１８を含んで良く、部分８０１の各電力ルーティングアセンブリ８０３は各アセンブリ８０３を接地するために部分８０２を通るその垂直長さに沿って１つまたは複数の多様な点で接地母線バー８１８に結合されて良い。
【００９５】
図９は、共通軸上の多様な位置で１つまたは複数のシステム及び構成要素を結合するように構成されたタングコネクタを含んだ電力バスバーのセットの斜視図を示す概略図である。
【００９６】
いくつかの実施形態では、電力バスバーのセットの１つまたは複数の多様な電力バスバーは、電力バスバーに結合されたタングコネクタを含み、セットの各電力バスバーの各タングコネクタは少なくとも共通軸の多様な位置まで伸長し、これにより装置は共通軸を位置合わせしてタングコネクタの１つと装置のコネクタを位置合わせするために調製可能に位置決めされることによってバスバーのセットの多様なバスバーの１つまたは複数に結合するために位置合わせされて良い。
【００９７】
例えば、示されている実施形態では、電力ルーティングラックの電力バスアレイに含まれて良い電力バスバーのセット９００は、垂直に平行して伸長している３つの電力バスバー９０２、９０４、９０６を含み、各電力バスバーは他の電力バスバーから水平偏位される。各電力バスバー９０２、９０４、９０６は、それぞれの電力バスバーから共通軸９３０の少なくとも１つのそれぞれの位置９２０に伸長する少なくとも１つのタングコネクタ９１２、９１４、９１６を含む。示されている実施形態に示されるように、装置９４０は、特定のバスバーのタングコネクタに対応する軸上の多様な位置９２０の１つまたは複数と装置９４０のコネクタ９４２を位置合わせするために共通軸９３０に平行に調整可能に位置決めされて良い。結果として、装置９４０は、コネクタ８４２を位置合わせして、いくつかの実施形態では第１の方向に垂直であって良い第２の方向で配置される１つまたは複数の多様なバスバーと結合するために軸に沿った第１の方向で調整可能に位置決めされて良い。いくつかの実施形態では、装置８４０は回路遮断器モジュールを含んだ電力ルーティングアセンブリの少なくとも一部分を含み、電力ルーティングアセンブリは、１つまたは複数の回路遮断器モジュールコネクタ９４２を位置合わせして、軸９３０上の対応するタングコネクタ９１２、９１４、９１６の特定の位置９２０を介して１つまたは複数の多様な電力バスバー９０２、９０４、９０６と結合するために軸９３０に平行に調整可能に位置決めされて良い。
【００９８】
図１０は、いくつかの実施形態に従って多様な電力サポート冗長性を提供するためにタングコネクタを介して１つまたは複数の共通軸上で多相電力バスアレイの多様な電力バスバーに結合された電力ルーティングアセンブリを示す概略図である。電力ルーティングラック１０００は、電力バスアレイに含まれる電力バスバーの複数のセット１００２、１００４、１００６を含み、各セットは垂直に及び互いに関して平行に伸長する３つの電力バスバー、及び他のセットの他の電力バスバーを含む。
【００９９】
図９に関して上述されたように、いくつかの実施形態では、電力バスバーの１つまたは複数のセットの１つまたは複数の電力バスバーは、電力バスバーから共通軸の少なくとも１つの位置に伸長する１つまたは複数のタングコネクタを含む。各電力バスバーは、電力バスバーから共通軸上の多様な別々の位置に伸長する複数のタングコネクタを含んで良い。例えば、示される実施形態に示されるように、セット１００２の各電力バスバーは、それぞれの電力バスバーから共通軸１０１６の少なくとも１つの別個の位置に伸長する２つの別々のタングコネクタ１０１２、１０１４を含む。セット１００２の各電力バスバーは、それぞれタングコネクタの１つまたは複数の多様なセット１０１２、１０１４のタングコネクタを有して良く、タングコネクタの各セットは、共通軸１０１６の近接位置まで伸長する電力バスバーセットの各電力バスバーのタングコネクタを含む。
【０１００】
示されている実施形態にさらに示されるように、電力ルーティングアセンブリ１０２０、１０３０は、別々のタングコネクタセットの別々のタングコネクタに結合するために電力ルーティングラック１０００の中に垂直に調整可能に位置決めできる。タングコネクタの各セット１０１２、１０１４は共通垂直軸１０１６の近接位置まで伸長するため、各電力ルーティングアセンブリは、１つまたは複数のコネクタから水平に偏位される１つまたは複数の多様な電力バスバーに１つまたは複数の回路遮断器コネクタを含んだ１つまたは複数の多様なコネクタに垂直方向で調整可能に位置決めされて良い。例えば、電力ルーティングアセンブリ１０２０は、回路遮断器モジュールコネクタ１０２２を位置合わせしてセット１００２のＡ相電力バスバーと結合するために垂直方向で調整可能に位置決めされて良く、係る位置合わせはＡ相電力バスバーの特定のタングコネクタと共通軸１０１６でコネクタ１０２２を位置合わせすることを含み、これによりコネクタ１０２２はＡ相電力バスバー自体とは水平に位置合わせされないことがあるが、コネクタ１０２２はＡ相電力バスバーに結合される。同様に、電力ルーティングアセンブリ１０３０は、電力遮断器モジュールコネクタ１０３２を位置合わせして、セット１００２のＣ相電力バスバーと結合するために垂直方向で調整可能に位置合わせされて良く、係る位置合わせはＣ相電力バスバーの特定のタングコネクタと共通軸１０１６上のコネクタ１０３２を位置合わせして、これによりコネクタ１０３２はＣ相電力バスバー自体と水平に位置合わせされないことがあるが、コネクタ１０３２はＣ相電力バスバーに結合される。
【０１０１】
いくつかの実施形態では、別々の電力バスバーセットの電力バスバーは、それぞれ電力バスバーから共通軸上の少なくとも１つの位置に伸長する１つまたは複数のタングコネクタを含んで良い。例えば、示されている実施形態に示されるように、それぞれの別個のセット１００４、１００６の各電力バスバーはそれぞれ、電力バスバーのそれぞれのセットのそれぞれの電力バスバーから共通軸１０４６上の少なくとも１つの別個の位置に伸長する別々のタングコネクタ１０４２、１０４４を含む。別個のセット１００４、１００６の各電力バスバーは、それぞれタングコネクタの１つまたは複数の多様なセット１０４２、１０４４のタングコネクタを含んで良く、タングコネクタの各セットは、共通軸１０４６上の近接位置まで伸長する各電力バスバーセットの各電力バスバーのタングコネクタを含む。
【０１０２】
電力バスバーの別々のセットの電力バスバーのタングコネクタが共通軸まで伸長し、電力バスバーの別々のセットが別々の電力系統から受け取られる電力を運ぶいくつかの実施形態では、電力ルーティングアセンブリは、別々のタングコネクタセットの別々のタングコネクタに結合するために共通軸に平行して調整可能に位置決めでき、タングコネクタの各セットは電力バスバーの別個のセットから伸長し、これにより多様な電力系統から電力を運ぶ電力バスバーの多様なセットは共通軸から偏位されて良いが、コネクタを位置合わせして別々のタングコネクタセットのタングコネクタセットに結合するために共通軸に平行に電力ルーティングアセンブリを調整することは、特定の電力バスバーを介して別個の電力系統から電力を受け取るために電力ルーティングアセンブリを結合する。例えば、示されている実施形態では、別々の電力バスバーは互いから水平に偏位されて良いが、電力ルーティングアセンブリ１０２０、１０３０は、回路遮断器モジュールコネクタを位置合わせして別々の電力系統から電力を運ぶ別個の電力バスバーと結合するために垂直位置で調整できる。電力ルーティングアセンブリ１０２０は、回路遮断器モジュールコネクタ１０５２を位置合わせしてセット１００６のＡ相電力バスバーと結合するために垂直方向で調整可能に位置決めされて良く、係る位置合わせはＡ相電力バスバーの特定のタングコネクタと共通軸１０４６のコネクタ１０５２を位置合わせすることを含み、これによりコネクタ１０２２はセット１００６自体のＡ相電力バスバーと水平に位置合わせされないことがあるが、電力ルーティングアセンブリ１０２０は電力バスバー１００６のセットに電力を送る特定の電力系統から電力を受け取ることができる。同様に、電力ルーティングアセンブリ１０３０は、回路遮断器モジュールコネクタ１０６２を位置合わせしてセット１０４のＣ相電力バスバーと結合するために垂直方向で調整可能に配置されて良く、係る調整は、Ｃ相電力バスバーの特定のタングコネクタと共通軸１０１６のコネクタ１０６２を位置合わせすることを含み、これによりコネクタ１０３２がＣ相電力バスバー自体と水平に位置合わせされないことがあるが、電力ルーティングアセンブリ１０３０は電力バスバー１００４のセットに電力を供給する特定の電力系統から電力を受け取ることができる。
【０１０３】
いくつかの実施形態では、タングコネクタの多様なセットは別々のそれぞれの共通軸に沿って位置合わせされて良く、タングコネクタの１つのセットのタングコネクタと１つの回路遮断器モジュールコネクタを位置合わせするために電力ルーティングアセンブリを位置決めすることは、タングコネクタの他のセットの別のタングコネクタと別の回路遮断器モジュールコネクタを位置合わせする。電力バスアレイは、それぞれ多様な電力系統から電力を運ぶ電力バスバーを含む電力バスバーの複数のセットを含むので、タングコネクタセットの多様な位置合わせされた組は電力系統の特定の組合せからの電力フィードの特定の組合せに相当して良い。したがって、電力ルーティングアセンブリは、電力系統の特定の組合せから電力を送り、それによってタングコネクタセットの特定の組の特定のタングコネクタと回路遮断器モジュールコネクタを位置合わせするために電力ルーティングアセンブリを位置決めすることに、少なくとも部分的に基づいて下流の結合された電気的負荷に特定の電力サポート冗長性を提供するように構成されて良い。例えば、示されている実施形態で示されるように、電力バスバーセット１００２、１００４、１００６はそれぞれ別々の電力系統から三相電力を運ぶ場合、タングコネクタセット１０１２、１０４２は１組のタングコネクタセットとして位置合わせされて良く、これによりタングコネクタセット１０１２、１０４２の対応するタングコネクタにコネクタ１０２２、１０５２を位置合わせするために電力ルーティングアセンブリ１０２０を位置決めすることは、電力バスバーセット１００２、１００６に電力を供給する電力系統の１つまたは複数から電力を送るように電力ルーティングアセンブリ１０２０を構成して良い。
【０１０４】
同様に、タングコネクタセット１０１４、１０４４は、タングコネクタセットの別の組として位置合わせされて良く、これによりタングコネクタセット１０１４、１０４４の対応するタングコネクタにコネクタ１０３２、１０６２を位置合わせするために電力ルーティングアセンブリ１０３０を位置決めすることは、電力を送る電力系統の１つまたは複数から電力バスバーセット１００２、１００４に電力を送るように電力ルーティングアセンブリ１０３０を構成し、それにより電力ルーティングアセンブリ１０２０とは別個の電力系統の組合せから電力を送るように電力ルーティングアセンブリ１０３０を構成して良い。
【０１０５】
図１１は、いくつかの実施形態に従って下流の電気的負荷に１つまたは複数の電力サポート冗長性を提供するためのシステム及び構成要素の動作１１００を示す流れ図である。１１０２で、１つまたは複数の回路遮断器モジュールは電力ルーティングアセンブリをアセンブルするために電力ルーティングモジュールに結合される。いくつかの実施形態では、電力ルーティングモジュールは、別々の回路遮断器モジュールが電力ルーティングモジュールに回路遮断器モジュールを結合するために結合される１つまたは複数の別々の電源コネクタを含む。電源コネクタは回路遮断器モジュールの電力端子の中に受け入れられて良く、各回路遮断器モジュールは、回路遮断器モジュールが結合電源コネクタを介して回路遮断器モジュールから電力ルーティングモジュールに電力を送ることができるように、電源コネクタを介して電力ルーティングモジュールに結合されて良い。いくつかの実施形態では、回路遮断器モジュールは固定接続で電源コネクタを介して電力ルーティングモジュールに結合され、これにより回路遮断器モジュールは電力ルーティングモジュールに関して固定位置で結合される。いくつかの実施形態では、回路遮断器モジュールは電源コネクタを介して電力ルーティングモジュールに調整可能に結合され、これにより回路遮断器モジュールは電力ルーティングモジュールに関して１つまたは複数の多様な位置で結合される。回路遮断器モジュールまたは電源コネクタの１つまたは複数は、電力ルーティングモジュールに関して回路遮断器モジュールを位置決めし直すために調整可能であって良い。
【０１０６】
１１０４で、電力ルーティングアセンブリは、電力ルーティングラックに位置決めされた１つまたは複数の特定に位置決めされる。いくつかの実施形態では、電力ルーティングラックは複数のシェルフを含み、電力ルーティングアセンブリを位置決めすることはシェルフの１つにアセンブリを取り付けることを含む。いくつかの実施形態では、電力ルーティングラック及び電力ルーティングアセンブリは１つまたは複数の多様な取付け要素を含み、電力ルーティングラックの取付け要素の１つまたは複数の多様なセットはラックの電力ルーティングアセンブリの１つまたは複数の多様な位置に相当する。係る実施形態では、電力ルーティングアセンブリは、電力ルーティングラックの取付け要素の１つまたは複数のセットと電力ルーティングアセンブリの１つまたは複数の取付け要素を接続することに少なくとも部分的に基づいて電力ルーティングラックの特定の位置に少なくとも部分的に位置決めされて良い。
【０１０７】
１１０６で、電力ルーティングアセンブリの１つまたは複数の回路遮断器モジュールは電力ルーティングラックの一部分を少なくとも部分的に通って伸長する電力バスアレイの１つまたは複数の電力バスバーに結合される。例えば、電力バスアレイは電力ルーティングラックの片側で垂直に且つ平行して伸長する電力バスバーの複数のセットを含む場合、電力ルーティングアセンブリの１つまたは複数の回路遮断器モジュールは電力バスアレイの１つまたは複数の別個の電力バスバーと結合するために位置合わせされる。いくつかの実施形態では、別々の電力バスバーに回路遮断器モジュールの１つまたは複数を結合することは、１つまたは複数の下流の結合された電気的負荷に電力バスバーの１つまたは複数から受け取られる電力を送るように電力ルーティングアセンブリを構成する。
【０１０８】
１１０７で、電力ルーティングモジュールは下流の電気的負荷に結合され、電力ルーティングアセンブリは電力バスバーの１つまたは複数から負荷に電力を送るように構成される。負荷は、１つまたは複数のコンピューティングラックに位置して良い１つまたは複数のコンピュータシステムを含んで良い。負荷に電力ルーティングモジュールを結合することは、出力コネクタを介して出力ケーブルにルーティングモジュールを結合することを含んで良い。いくつかの実施形態では、電力ルーティングモジュールは、バスバーコネクタを介して電力ルーティングラックの部分を通して伸長する出力電力バスに結合され、出力電力バスは少なくとも部分的に電力ルーティングラックと負荷との間で伸長する出力電力ラインと結合して良い。
【０１０９】
１１０８で、回路遮断器モジュールの１つまたは複数の回路遮断器が閉じられる。回路遮断器モジュールが電力バスバーに結合されるとき、モジュールの１つまたは複数の回路遮断器は電力バスバーから電力ルーティングモジュールに電力が即座に流れるのを排除するために開かれて良い。回路遮断器を閉じることは、電力ルーティングモジュールが電力バスバーから電力を受け取ることを可能にする。いくつかの実施形態では、電力ルーティングモジュールは複数の電力バスバーから下流の結合された電気的負荷に電力を送る。電力ルーティングモジュールが切替えスイッチを含むいくつかの実施形態では、電力ルーティングモジュールは１つまたは複数の電力バスバーから電力を選択的に送る。
【０１１０】
いくつかの実施形態では、１つまたは複数の電力バスバーに回路遮断器モジュールを結合すること、及び１つまたは複数の下流の電気的負荷に電力ルーティングモジュールを結合することは、電力バスバーの１つまたは複数から負荷に電力を送るように電力ルーティングアセンブリを構成した。１つまたは複数の電力バスバーから負荷に電力を送るように構成された電力ルーティングアセンブリは、負荷に特定の電力サポート冗長性を提供するように構成されて良い。例えば、電力ルーティングアセンブリが別々の電力バスバーにそれぞれ結合される２つの回路遮断器モジュールを含む場合、電力バスバーはそれぞれ別々の電力系統から電力を運び、電力ルーティングアセンブリは別々の電力系統から電力フィードを使用し、下流負荷に電力サポート冗長性を提供するように構成される。別々の電力系統がともに一次電力系統である場合、電力ルーティングアセンブリは負荷に２Ｎ冗長性を提供するように構成されて良い。別々の電力系統が一次電力系統及び予備電力系統を含む場合、電力ルーティングアセンブリは負荷のＮ＋１冗長性を提供するように構成されて良い。
【０１１１】
１１１０に示されるように、電力ルーティングアセンブリが負荷に異なる特定の電力サポート冗長性を提供するように電力ルーティングアセンブリの特定の電力サポート冗長性構成を変更するかどうかの決定が下される。例えば、電力ルーティングアセンブリが１つまたは複数の別々の一次電力系統から負荷に電力を送ることによって２Ｎ冗長性を提供する場合、１１１０での決定は、同じ負荷にＮ＋１冗長性を提供するために電力ルーティングアセンブリを変更するかどうかの決定を含んで良い。変更しない場合、１１１２で、動作は続行される。
【０１１２】
１１１４で、電力ルーティングアセンブリの電力サポート冗長性構成が変更されるべきである場合、電力ルーティングアセンブリの１つまたは複数の回路遮断器モジュールの回路遮断器は、結合された電力バスバーから電力ルーティングアセンブリを隔離するために開かれる。１１１６で、遮断器が１１１４で開かれる回路遮断器モジュールを含んで良い回路遮断器モジュールは電力バスバーから切り離される。
【０１１３】
１１１８で、電力ルーティングアセンブリの少なくとも一部分は、１つまたは複数の回路遮断器モジュールを位置合わせして１つまたは複数の別々の電力バスバーと結合するために調整可能に位置決めされる。いくつかの実施形態では、係る調整可能に位置決めすることは、モジュールが以前に結合されなかった２つ以上の新しい電力バスバーと２つ以上の回路遮断器モジュールコネクタを結合するために電力ルーティングラックの中で電力ルーティングアセンブリ全体を調整することを含む。例えば、電力ルーティングアセンブリは互いに関して固定位置に結合されたモジュールを含む場合、全体的な電力ルーティングアセンブリは２つの別々の電力バスバーと回路遮断器モジュールコネクタを位置合わせするために電力ルーティングラックに再位置決めされて良い。再位置決めは、シェルフを含んだラックの一部分から電力ルーティングアセンブリ、取付け要素の１つまたは複数のセット、そのなんらかの組合せ等を外すこと、及び別のシェルフを含んだラックの別の部分に電力ルーティングアセンブリ、取付け要素の１つまたは複数の他のセット、そのなんらかの組合せ等を取り付けることを含んで良い。いくつかの実施形態では、係る調整可能に位置決めすることは、ラックの中の電力ルーティングアセンブリの一部分の位置を調整すること、及びラックの中の電力ルーティングアセンブリの別の部分の位置を維持することを含む。例えば、電力ルーティングアセンブリの回路遮断器モジュールの１つは、回路遮断器モジュール、電源コネクタ等の１つまたは複数の調整を介して少なくとも電力ルーティングモジュールに関して調整可能に位置決めできる場合、調整可能に位置決めすることは、１つの電力バスバーと位置合わせされることから別の電力バスバーと結合するために位置合わせされることに回路遮断器モジュールを調整することを含んで良い。
【０１１４】
１１２０で、１つまたは複数の回路遮断器は１つまたは複数の特定の電力バスバーで電力バスアレイに再結合される。１つまたは複数の回路遮断器モジュールが結合される電力バスバーは、１つまたは複数の回路遮断器モジュールが１１１６で切り離される電力バスバーとは別個であって良い。電力ルーティングアセンブリが、それぞれ電力ルーティングアセンブリが切り離された電力バスバーの別のセットから、電力系統の別個のセットから電力を運ぶ電力バスバーの別個のセットに結合される場合、電力ルーティングアセンブリは下流の結合された電気的負荷に１つの電力サポート冗長性を提供することから、負荷に別の電力サポート冗長性を提供することに再構成されて良い。例えば、電力ルーティングアセンブリが最初に負荷にＮ＋１冗長性を提供するように、電力ルーティングアセンブリがそれぞれ一次電力系統及び予備電力系統からそれぞれ電力を運ぶ２つの電力バスバーの１つまたは複数から初期に電力を送る場合、電力バスバーの少なくとも１つから電力ルーティングアセンブリを切り離すこと、及びそれぞれ一次電力系統及び別の一次電力系統からそれぞれ電力を運ぶ別々の電力バスバーの別の組合せに電力ルーティングアセンブリを結合することは、負荷に２Ｎ電力サポート冗長性を提供するように電力ルーティングアセンブリを構成して良い。
【０１１５】
本開示の実施形態は、以下の条項を考慮して説明できる。
１．一次電力フィードを供給するように構成された一次電力系統と、
予備電力フィードを供給するように構成された予備電力系統と、
それぞれコンピュータシステムの１つまたは複数のセットを備える複数のコンピューティングラックと、
１つまたは複数の電力ルーティングラックであって、
前記電力ルーティングラックの一部分の第１の側面に沿って平行に伸長する電力バス場の電力バスアレイであって、
前記一次電力フィードを送るように構成された一次電力バスバーの１つまたは複数のセットと、
前記一次電力バスバーに平行して伸長し、前記予備電力フィードを運ぶように構成された予備電力バスバーの１つまたは複数のセットと、
を備える電力バスアレイと、
それぞれ前記電力ルーティングラックの前記一部分の中の別々の位置に取り付けられ、それぞれコンピュータシステムの前記１つまたは複数のセットの少なくとも１つに１つまたは複数の特定の電力サポート冗長性を提供するように構成される複数の電力ルーティングアセンブリと、
を備える１つまたは複数の電力ルーティングラックと、
を備えるデータセンタであって、
コンピュータシステムの前記１つまたは複数のセットの少なくとも１つに１つまたは複数の特定の電力サポート冗長性を提供するために、各電力ルーティングアセンブリが、コンピュータシステムの前記１つまたは複数のセットの少なくとも１つに前記一次電力フィードまたは前記予備電力フィードの少なくとも１つを送るように構成され、特定の位置に取り付けられた前記１つまたは複数の電力ルーティングアセンブリのそれぞれが、
回路遮断器モジュールが局所的な電力出力接続を介して前記一次電力フィードを選択的に送るように前記一次電力バスバーの１つと可逆的に結合するように構成された前記回路遮断器モジュールと、
他方の回路遮断器モジュールが、別の局所的な電力出力接続を介して前記予備電力フィードを選択的に送るように、前記予備電力バスバーの１つと可逆的に結合するように構成された前記別の回路遮断器モジュールと、
別々の局所的な電力入力接続を介して前記回路遮断器モジュールの前記電力出力接続のそれぞれに別々に接続され、少なくとも１つの電力出力接続を介してコンピュータシステムの前記１つまたは複数のセットの少なくとも１つに前記一次電力フィードまたは前記予備電力フィードの少なくとも１つを送るように構成された電力ルーティングモジュールと、
を備える、データセンタ。
２．電力バスバーの各１つまたは複数のセットが前記電力ルーティングラックの前記第１の側面に沿って１つまたは複数の電力バスバーの特定の平行配置を備え、
電力バスバーの各１つまたは複数のセットが、バスバーの前記特定の配置に少なくとも部分的に基づいて、所与の電力ルーティングアセンブリの各回路遮断器モジュールが前記電力ルーティングラックの中の前記電力ルーティングアセンブリの特定の位置に少なくとも部分的に基づいて一次電力バスバー及び予備電力バスバーの特定の組の別々の電力バスバーに選択的に結合できるように構成される、
条項１に記載の前記データセンタ。
３．二次電力フィードを供給するように構成された二次電力系統
を備え、
前記電力バスアレイが
一次電力バスバーの前記１つまたは複数のセット及び予備電力バスバーの前記１つまたは複数のセットに平行して伸長する二次電力バスバーの１つまたは複数のセット
を備え、
前記電力ルーティングアセンブリの少なくとも１つが、コンピュータシステムの前記１つまたは複数のセットに提供された電力サポート冗長性を可逆的に偏向するように構成され、コンピュータシステムの前記１つまたは複数のセットに提供された電力サポート冗長性を可逆的に変更するために、前記少なくとも１つの電力ルーティングアセンブリが、前記予備電力バスバーから前記他の回路遮断器モジュールを切り離し、前記二次電力バスバーの少なくとも１つの前記他の回路遮断器モジュールを結合するために少なくとも部分的に再位置決めされるように構成され、これにより前記他の回路遮断器モジュールが前記他の局所的な電力出力接続を介して前記二次電力フィードを選択的に送る、
任意の前記条項に記載の前記データセンタ。
４．前記１つまたは複数の電力ルーティングラックが前記電力ルーティングラックの中に取り付けられた２つの電力ルーティングアセンブリを備え、
前記電力ルーティングラックの中に取り付けられた前記２つの電力ルーティングアセンブリの１つが、前記１つの電力ルーティングアセンブリの別々の回路遮断器モジュールから受け取られる２つの電力フィードの１つを送ることの間で選択的に切り替わるように構成された自動切替えスイッチを含むルーティングモジュールを備え、
前記電力ルーティングラックの中に取り付けられた前記２つの電力ルーティングアセンブリの別の１つが前記他の電力ルーティングアセンブリの別々の回路遮断器モジュールから受け取られる両方の電力フィードから同時に電力を虚給するように構成されたブリッジ接続を含むルーティングモジュールを備え、
前記２つの電力ルーティングアセンブリのそれぞれが、コンピュータシステムの別々の１つまたは複数のセットに別個の電力サポート冗長性を提供するように構成される、
任意の前記条項に記載の前記データセンタ。
５．電力ルーティングラックの一部分に取り付けられるように構成された電力ルーティングアセンブリであって、
少なくとも２つの回路遮断器モジュールであって、前記回路遮断器モジュールのそれぞれが別個の電力バスバーを介して別個の電力系統と可逆的に結合し、前記結合された電力バスバーを介して前記別個の電力系統から前記それぞれの回路遮断器モジュールの出力コネクタに供給された電力フィードを選択的に送るように構成される、少なくとも２つの回路遮断器モジュールと、
それぞれの電力入力コネクタを介して前記回路遮断器モジュールの前記出力コネクタのそれぞれに結合され、電力出力コネクタを介して下流の電気的負荷にさらに結合された電力ルーティングモジュールと、
を備える前記電力ルーティングアセンブリと
を備え、
前記電力ルーティングモジュールが前記それぞれの電力入力コネクタを介して前記回路遮断器モジュールの少なくとも１つから前記下流の電気的負荷に少なくとも１つの電力フィードを送るように構成される
装置。
６．前記電力ルーティングモジュールが、前記それぞれの電力入力コネクタの少なくとも２つを介して前記少なくとも２つの別々の電力フィードから前記下流の電気的負荷に同時に電力を供給するように構成された電気ブリッジを備える、条項５に記載の前記装置。
７．前記電力ルーティングモジュールは、前記それぞれの電力入力コネクタの１つを介して前記下流の電気的負荷に少なくとも２つの電力フィードの１つを選択的に送るように構成された自動切替えスイッチを備える、条項５または６に記載の前記装置。
８．前記電力ルーティングアセンブリが、電力バスアレイの複数の電力バスバーの１つに前記回路遮断器モジュールの少なくとも１つを選択的に結合して、前記少なくとも１つの回路遮断器モジュールを通して前記複数の電力バスバーの１つから電力フィードを選択的に送るために、前記電力ルーティングラックの前記部分の中で調整可能に位置決め可能である、条項５から７のいずれかに記載の前記装置。
９．前記複数の電力バスバーのそれぞれが別個の電力系統によって供給される電力フィードを運び、
前記電力バスアレイの複数の電力バスバーの１つに前記回路遮断器モジュールの少なくとも１つを選択的に結合することが、
１つの電力系統から電力を供給する前記複数の電力バスバーの１つから前記少なくとも１つの回路遮断器モジュールを切り離すことと、
別の電力系統から電力を供給する前記複数の電力バスバーの別の１つに前記少なくとも１つの回路遮断器モジュールを結合して、これにより前記電力ルーティングアセンブリが一方の電力系統から電力フィードを送ることから、前記他方の電力系統から別の電力フィードを送ることに切り替わることと、
を含む、
条項８に記載の前記装置。
１０．前記別々の電力入力コネクタの少なくとも１つが、回路遮断器モジュールを位置合わせしてバスバーアレイの複数の電力バスバーの１つと結合するために前記電力ルーティングモジュールに対して１つまたは複数の位置で前記回路遮断器モジュールを調整可能に結合するように構成される、条項８に記載の前記装置。
１１．前記少なくとも２つの回路遮断器モジュールのそれぞれが前記電力ルーティングモジュールに対して固定位置で結合され、これにより前記回路遮断器モジュールが前記電力バスアレイの少なくとも２セットの電力バスバーの少なくとも２つの電力バスバーの間の特定の距離に相当する特定の距離をあけて置かれ
前記電力ルーティングアセンブリが前記電力ルーティングラックの前記一部分の中の複数の位置の１つに調整可能に位置決めされるように構成され、前記複数の位置のそれぞれが電力バスバーの前記セットの１つに相当し、これにより前記電力ルーティングアセンブリの前記少なくとも２つの回路遮断器モジュールが、前記電力ルーティングアセンブリが位置決めされる前記位置に少なくとも部分的に基づいて電力バスバーの特定のセットの少なくとも２つの電力バスバーと結合するために位置合わせされる、
条項８に記載の前記装置。
１２．電力バスバーの所与のセットの前記電力バスバーのそれぞれが、前記それぞれの電力バスバーから、電力バスバーの前記所与のセットに平行して伸長する共通軸上の位置に伸長するタングコネクタを備え、
前記電力ルーティングアセンブリが、前記回路遮断器モジュールの少なくとも１つを位置合わせして、特定のタングコネクタと結合するために前記電力ルーティングラックの前記部分の中で垂直に調整されるように構成され、これにより前記少なくとも１つの回路遮断器モジュールが、前記回路遮断器モジュールが結合するために位置合わせされる前記特定のタングコネクタに少なくとも部分的に基づいて電力バスバーの所与のセットの特定の電力バスバーと結合するように位置合わせされる、
条項１１に記載の前記装置。
１３．前記電力ルーティングアセンブリが、前記電力ルーティングアセンブリが位置決めされる前記位置に少なくとも部分的に基づいて前記下流の電気的負荷に複数の電力サポート冗長性の１つを提供するように構成可能である、条項１１に記載の前記装置。
１４．電力ルーティングアセンブリをアセンブルすることであって、前記電力ルーティングアセンブリをアセンブルすることが電力ルーティングモジュールの別々の電源コネクタに少なくとも２つの回路遮断器モジュールを結合することを含む、電力ルーティングアセンブリをアセンブルすることと、
下流の電気的負荷に特定の電力サポート冗長性を提供するように前記電力ルーティングアセンブリを構成することであって、
別々の電源コネクタを介して電力バスアレイから前記ルーティングモジュールに別々の電力フィードを送るように前記回路遮断器モジュールのそれぞれを構成することであって、前記電力バスアレイの別々の電力バスバーに前記回路遮断器モジュールのそれぞれを結合することを含む、前記電力バスアレイから別々の電力フィードを送るように前記回路遮断器モジュールのそれぞれを構成することと、
前記回路遮断器モジュールから前記下流の電気的負荷に受け取られた前記別々の電力フィードの少なくとも１つを送るように前記電力ルーティングモジュールを構成することであって、電力出力接続を介して前記電気的負荷に前記電力ルーティングモジュールを結合することを含む、前記別々の電力フィードの少なくとも１つを送るように前記電力ルーティングモジュールを構成することと、
を含む、前記下流の電気的負荷に前記特定の電力サポート冗長性を提供するように前記電力ルーティングアセンブリを構成することと、
を含む方法。
１５．前記別々の電源コネクタに前記少なくとも２つの回路遮断器モジュールを結合することが、前記所与の回路遮断器モジュールを位置合わせして前記電力バスアレイの特定の電力バスバーと結合するために前記電源コネクタの複数の位置の１つにある所与の電源コネクタに前記回路遮断器モジュールの１つを調整可能に結合することを含む、条項１４に記載の前記方法。
１６．前記電力ルーティングモジュールが前記それぞれの電力入力コネクタの１つを介して前記下流の電気的負荷に少なくとも２つの電力フィードの１つを選択的に送るように構成された自動切替えスイッチを備え、
前記別々の電力フィードの少なくとも１つを送るように前記電力ルーティングモジュールを構成することが、前記電力出力接続を介して前記下流の電気的負荷に前記別々の電力フィードの１つを選択的に送るように前記電力ルーティングモジュールを構成することを含む、
条項１４または１５に記載の前記方法。
１７．下流の電気的負荷に特定の電力サポート冗長性を提供するように前記電力ルーティングアセンブリを構成することが、前記下流の電気的負荷に複数の電力サポート冗長性の特定の１つを提供するように前記電力ルーティングアセンブリを構成することを含み、
前記下流の電気的負荷に複数の電力サポート冗長性の特定の１つを提供するように前記電力ルーティングアセンブリを構成することが、前記ラックの中の複数の位置の特定の対応する位置で前記電力ルーティングアセンブリを選択的に位置決めすることを含み、前記複数の位置のそれぞれが別個の電力サポート冗長性と対応する、
条項１４または１６に記載の前記方法。
１８．前記電力バスアレイが特定の距離をあけて置かれた少なくとも２つの電力バスバーの少なくとも１つのセットを備え、所与のセットのそれぞれの別個の電力バスバーが別個の電力フィードを運ぶように構成され、
前記別個の電源コネクタに前記少なくとも２つの回路遮断器モジュールを結合することが、前記電力ルーティングモジュールに対して固定位置で前記回路遮断器のそれぞれを結合することを含み、これにより前記少なくとも２つの回路遮断器モジュールが前記少なくとも２つの電力バスバー間の前記特定の距離に相当する特定の距離をあけて置かれ、
前記電力バスアレイの別々の電力バスバーに前記回路遮断器モジュールのそれぞれを結合することが、前記回路遮断器モジュールのそれぞれを位置合わせして前記少なくとも２つの電力バスバーの別個のバスバーと結合するために前記電力ルーティングアセンブリを位置決めすることを含む、
条項１４から１７のいずれかに記載の前記方法。
１９．前記電力バスアレイが電力バスバーの少なくとも２つの別々の組を備え、所与の組の各電力バスバーが別個の電力フィードを運び、電力バスバーの各組が電力フィードの別個のセットを集合的に運び、
前記電力バスアレイの別々の電力バスバーに前記回路遮断器モジュールのそれぞれを結合することが、前記回路遮断器モジュールのそれぞれを位置合わせして電力バスバーの特定の組の少なくとも２つの電力バスバーと結合するために特定の位置に前記電力ルーティングアセンブリを位置決めすることを含み、これにより前記電力ルーティングアセンブリが電力フィードの特定のセットの少なくとも１つを送るように構成され、
前記方法が、前記下流の電気的負荷に別の電力サポート冗長性を提供するように前記電力ルーティングアセンブリを再構成することをさらに含み、別の電力サポート冗長性を提供するように前記電力ルーティングアセンブリを再構成することが、電力バスバーの前記他の組の少なくとも２つの電力バスバーと前記回路遮断器モジュールのそれぞれを位置合わせするために電力バスバーの別の組に相当する別の位置に前記特定の位置から前記電力ルーティングアセンブリの少なくとも一部分を再位置決めすることを含み、電力バスバーの前記他の組が電力フィードの別のセットを運ぶように構成される、
条項１８に記載の前記方法。
２０．電力バスバーの前記少なくとも２つの別々の組のそれぞれの少なくとも１つの電力バスバーが、それぞれの電力バスバーから、前記電力バスアレイの各電力バスバーに平行して伸長する第１の共通軸に伸長するタング接続を備え、
電力バスバーの前記少なくとも２つの別々の組のそれぞれの少なくとも１つの他の電力バスバーが、前記それぞれの他の電力バスバーから、前記電力バスアレイの各電力バスバーに平行して伸長する第２の共通軸に伸長する別のタング接続を備え、
前記第１の共通軸及び前記第２の共通軸が前記電力ルーティングアセンブリの前記回路遮断器モジュール間の前記特定の距離に相当する特定の距離をあけて置かれ、
前記電力バスアレイの別々の電力バスバーに前記回路遮断器モジュールのそれぞれを結合することが、前記回路遮断器モジュールのそれぞれを位置合わせして前記第１の軸及び前記第２の軸の別個の１つ上の別個のタング接続と結合するために特定の位置に前記電力ルーティングアセンブリを位置決めすることを含む、
条項１９に記載の前記方法。
【０１１６】
図に示され、本明細書に説明される多様な方法は、方法の例の実施形態を表す。方法はソフトウェア、ハードウェア、またはその組合せで実装されて良い。方法の順序は偏向されて良く、多様な要素が追加、並べ替え、結合、省略、修正等されて良い。
【０１１７】
上記の実施形態はかなり詳細に説明されたが、いったん上記開示が完全に理解されると、多数の変形形態及び修正形態が当業者に明らかになるだろう。以下の特許請求の範囲がすべての係る変形形態及び修正形態を包含すると解釈されることが意図される。
【図１】
2017508212.tif 000003
【図２】
2017508212.tif 000004
【図３Ａ】
2017508212.tif 000005
【図３Ｂ】
2017508212.tif 000006
【図４Ａ】
2017508212.tif 000007
【図４Ｂ】
2017508212.tif 000008
【図５Ａ】
2017508212.tif 000009
【図５Ｂ】
2017508212.tif 000010
【図５Ｃ】
2017508212.tif 000011
【図６Ａ】
2017508212.tif 000012
【図６Ｂ】
2017508212.tif 000013
【図７】
2017508212.tif 000014
【図８】
2017508212.tif 000015
【図９】
2017508212.tif 000016
【図１０】
2017508212.tif 000017
【図１１】
2017508212.tif 000018
【国際調査報告】
2017508212.tif 000019
2017508212.tif 000020
2017508212.tif 000021